(57)【要約】【課題】無線ネットワークおよび時空間センサからのデータの関連付けと格納。【解決手段】本願の技術は、１つ以上のセンサからセンサ・データサンプルを受信することと、無線ネットワークに関連する無線ネットワーク情報データサンプルを受信することと、受信した１つ以上のセンサ・データサンプルと受信した無線ネットワーク情報データサンプルの１つ以上の関連に基づいて１つ以上の関連センサおよび無線ネットワーク情報データサンプルを決定することと、無線ネットワークの性能に関連する１つ以上の関連センサおよび無線ネットワーク情報データサンプルの少なくとも一部を選択することと、選択した関連センサおよび無線ネットワーク情報データサンプルを後続の使用のために転送することと、を含み得る。【選択図】図４
2021530934.tif 000002
【特許請求の範囲】
【請求項１】
１つ以上のセンサからセンサ・データサンプルを受信するステップと、
無線ネットワークに関連する無線ネットワーク情報データサンプルを受信するステップと、
受信された１つ以上のセンサ・データサンプルの、前記受信された無線ネットワーク情報データサンプルの１つ以上との関連に基づいて、１つ以上の関連するセンサおよび無線ネットワーク情報データサンプルを決定するステップと、
前記無線ネットワークの性能に関連する前記１つ以上の関連センサおよび無線ネットワーク情報データサンプルの少なくとも一部を選択するステップと、
その後の使用のために、前記選択された関連センサおよび無線ネットワーク情報データサンプルを転送するステップと、
を含む方法。
【請求項２】
前記センサ・データサンプルは、物理環境に関連する時空間センサ・データサンプルを含む、請求項１に記載の方法。
【請求項３】
前記転送するステップは、少なくとも、
前記選択された関連センサおよび無線ネットワーク情報データサンプルを格納するステップと、
前記選択された関連センサおよび無線ネットワーク情報データサンプルを、処理のために転送するステップと、
のうちの１つを含む、
請求項１または２に記載の方法。
【請求項４】
前記選択された関連センサおよび無線ネットワーク情報データサンプルに基づいて、前記無線ネットワークの性能を改善するための少なくとも１つの動作を実行するステップを更に含む、請求項１ないし３のいずれか１項に記載の方法。
【請求項５】
前記少なくとも１つのアクションを実行するステップは、
１つ以上の無線ネットワーク動作と、
１つ以上の自動無線ネットワーク動作と、
ネットワーク自己最適化アルゴリズムによってトリガされる１つ以上の自動無線ネットワーク動作と、
前記無線ネットワークのパフォーマンスを向上させるために、前記物理環境のオブジェクトまたは態様が変更される１つ以上の非無線ネットワーク動作と、
のうちの少なくとも１つを実行するステップを含む、
請求項４に記載の方法。
【請求項６】
１つ以上のセンサから、センサ・データサンプルを受信する前記ステップは、
前記物理環境のオブジェクトまたは部分を制御するボタン、スイッチ、またはコントローラと、オブジェクトの位置、位置、方向、または移動を制御するボタン、スイッチ、またはコントローラと、オブジェクトの状況または状態を制御するボタン、スイッチ、またはコントローラと、物理環境のオブジェクトまたは部分の画像またはビデオフィードをキャプチャするカメラと、前記物理環境のオブジェクトまたは部分の状況または状態を検出するセンサと、
のうちの１つ以上に関連するセンサ・データサンプルを受信するステップ
を含む、請求項１ないし５のいずれか１項に記載の方法。
【請求項７】
前記物理環境のオブジェクトまたは部分の状況または状態を検出するセンサに関連する前記受信センサ・データサンプルは、前記物理環境のオブジェクトまたは部分の検出、測位、方位、または、位置決定を実行するレーダまたはＬｉＤＡＲから前記センサ・データサンプルを受信するステップを含む、請求項６に記載の方法。
【請求項８】
無線ネットワークに関連する受信無線ネットワーク情報データサンプルを受信する前記ステップは、前記無線ネットワークのための無線ネットワーク鍵性能指標と、無線ネットワーク動作に関連する情報と、無線ネットワーク構成パラメータと、のうちの少なくとも１つを受信するステップを含む、請求項１ないし７のいずれか１項に記載の方法。
【請求項９】
前記無線ネットワーク鍵性能指標は、
受信信号強度、総受信電力、受信干渉電力、信号対干渉ノイズ比（ＳＩＮＲ）、経路損失、基準信号受信電力、基準信号受信品質、受信信号強度インジケータ、信頼性、ブロック・エラー率、レイテンシ、ジッタ（ｊｉｔｔｅｒ）、カバー領域（ｃｏｖｅｒａｇｅ）、容量、データ転送速度、ランク指標、変調および符号化スキームインジケータ、チャネル状態情報、タイミングアドバンス、
のうちの少なくとも１つを含む、
請求項８に記載の方法。
【請求項１０】
前記無線ネットワークのための前記無線ネットワーク構成パラメータは、基地局またはユーザデバイスの識別子、構成、または座標のうちの少なくとも１つを含む、請求項８または９のいずれか１項に記載の方法。
【請求項１１】
無線ネットワーク動作に関連する前記情報が、
ターゲット基地局へのユーザデバイスのハンドオーバ、
２つ以上の基地局間のトラフィックまたはデータのロードバランシング、
基地局とユーザデバイスとの間の無線リンクのためのリンク適応、
ユーザデバイスによって実行されるセル選択またはセル再選択、
スケジューリング、資源配分、送信電力制御、および、
タイミングアドバンス調整、
の少なくとも１つに関連する情報を含む、
請求項８ないし１０のいずれか１項に記載の方法。
【請求項１２】
１つ以上の関連するセンサおよび無線ネットワーク情報データサンプルを決定する前記ステップは、前記無線ネットワーク情報データサンプルの１つ以上の時間ウィンドウ内にある１つ以上のセンサ・データサンプルの時間に基づいて、１つ以上の関連するセンサおよび無線ネットワーク情報データサンプルを決定するステップを含む、請求項１ないし１１のいずれか１項に記載の方法。
【請求項１３】
１つ以上の関連するセンサおよび無線ネットワーク情報データサンプルを決定する前記ステップは、
第１のセンサが、少なくとも第１の通信要素と対になっているか、または関連付けられていることを決定するステップと、
少なくとも前記第１の通信要素に関連する１つ以上の前記無線ネットワーク情報データサンプルの時間ウィンドウ内に存在する前記第１のセンサからの１つ以上のセンサ・データサンプルの時間に基づいて、１つ以上の関連するセンサおよび無線ネットワーク情報データサンプルを決定するステップと、
を含む、
請求項１ないし１２のいずれか１項に記載の方法。
【請求項１４】
前記第１の通信要素は、コンピュータまたはサーバと、基地局、ユーザデバイス、コアネットワーク要素、または他の無線ネットワーク要素の少なくとも１つを含む、前記無線ネットワークに関連する無線ネットワーク要素と、のうちの少なくとも１つを含む、請求項１３に記載の方法。
【請求項１５】
前記無線ネットワークの性能に関連する、前記１つ以上の関連するセンサおよび無線ネットワーク情報データサンプルのうちの少なくとも一部を選択する前記ステップは、
前記無線ネットワークの性能の変化の前に発生するか、またはサンプリングされる前記１つ以上の関連するセンサおよび無線ネットワーク情報データサンプルの少なくとも一部を選択するステップと、
前記無線ネットワークの性能の変化の間に発生するか、またはサンプリングされる前記１つ以上の関連センサおよび無線ネットワーク情報データサンプルの少なくとも一部を選択するステップと、
前記無線ネットワークの性能の変化の後に発生するかまたはサンプリングされる１つ以上の関連センサおよび無線ネットワーク情報データサンプルの少なくとも一部を選択するステップと、
のうちの少なくとも１つを含む、
請求項１ないし１４のいずれか１項に記載の方法。
【請求項１６】
前記無線ネットワークの性能に関連する、前記１つ以上の関連するセンサおよび無線ネットワーク情報データサンプルのうちの少なくとも一部を選択する前記ステップは、
前記無線ネットワークの性能の低下の前に発生するかまたはサンプリングされる前記１つ以上の関連するセンサおよび無線ネットワーク情報データサンプルの少なくとも一部を選択するステップと、
前記無線ネットワークの性能の低下の間に発生する、またはサンプリングされる前記１つ以上の関連センサおよび無線ネットワーク情報データサンプルの少なくとも一部を選択するステップと、
前記無線ネットワークの性能の低下後に発生する、またはサンプリングされる前記１つ以上の関連センサおよび無線ネットワーク情報データサンプルの少なくとも一部を選択するステップと、
のうちの少なくとも１つを含む、
請求項１ないし１５のいずれか１項に記載の方法。
【請求項１７】
前記無線ネットワークの性能に関連する、前記選択された関連センサおよび無線ネットワーク情報データサンプルの選択理由をラベル付けするステップをさらに含む、請求項１ないし１６のいずれか１項に記載の方法。
【請求項１８】
請求項１および１７のいずれか１項に記載の方法を実行する手段を備える装置。
【請求項１９】
少なくとも１つのプロセッサによって実行されるとき、コンピュータシステムに、請求項１ないし１７のいずれか１項に記載の方法を実行させるように構成される、非一時的コンピュータ可読格納媒体に格納された命令を備える、非一時的コンピュータ可読格納媒体。
【請求項２０】
少なくとも１つのプロセッサと、コンピュータ命令を含む少なくとも１つのメモリとを備えた装置であって、前記少なくとも１つのプロセッサによって実行されるとき、前記装置に請求項１ないし１７のいずれか１項に記載の方法を実行させる、装置。
【請求項２１】
少なくとも１つのプロセッサと、コンピュータ命令を含む少なくとも１つのメモリとを備える装置であって、該コンピュータ命令は、前記少なくとも１つのプロセッサにより実行されたとき、前記装置に、
センサ・データサンプルを１つ以上のセンサから受信させ、無線ネットワークに関連する無線ネットワーク情報データサンプルを受信させ、
受信された１つ以上のセンサ・データサンプルの前記受信された無線ネットワーク情報データサンプルの１つ以上との関連に基づいて、１つ以上の関連するセンサおよび無線ネットワーク情報データサンプルを決定させ、
無線ネットワークの性能に関連する前記１つ以上の関連センサおよび無線ネットワーク情報データサンプルの少なくとも一部を選択させ、
その後の使用のために、前記選択された関連センサおよび無線ネットワーク情報データサンプルを転送させる、
装置。
【請求項２２】
前記センサ・データサンプルが、物理環境に関連付けられた時空間センサ・データサンプルを含む、請求項２１に記載の装置。
【請求項２３】
前記装置に転送させることは、
前記選択された関連センサおよび無線ネットワーク情報データサンプルを格納することと、
処理のために前記選択された関連センサおよび無線ネットワーク情報データサンプルを転送ことと、の
うちの少なくとも１つを実行させることを含む、
請求項２１または２２に記載の装置。
【請求項２４】
前記コンピュータ命令は、前記装置に、さらに、前記選択された関連センサおよび無線ネットワーク情報データサンプルに基づいて、前記無線ネットワークのパフォーマンスを改善するための少なくとも１つのアクションを実行させる、請求項２１ないし２３のいずれか１項に記載の装置。
【請求項２５】
前記装置に少なくとも１つのアクションを実行させることは、前記装置に、
１つ以上の無線ネットワーク動作、
１つ以上の自動無線ネットワーク動作、
ネットワーク自己最適化アルゴリズムによってトリガされる１つ以上の自動無線ネットワーク動作、
前記無線ネットワークのパフォーマンスを向上させるために、オブジェクトまたは前記物理環境の態様が変更される１つ以上の非無線ネットワーク動作、
の少なくとも１つを実行させることを含む、
請求項２４に記載の装置。
【請求項２６】
前記装置に、１つ以上のセンサからセンサ・データサンプルを受信させることは、
前記物理環境のオブジェクトまたは部分を制御するボタン、スイッチ、またはコントローラと、オブジェクトの位置、位置、方向、または移動を制御するボタン、スイッチ、またはコントローラと、オブジェクトのステータスまたは状態を制御するボタン、スイッチ、またはコントローラと、物理環境のオブジェクトまたは部分の画像またはビデオフィードをキャプチャするカメラと、前記物理環境のオブジェクトまたは部分の状況または状態を検出するセンサと、のうちの１つ以上に関連するセンサ・データサンプルを前記装置に受信させる
ことを含む、
請求項２１ないし２５のいずれか１項に記載の装置。
【請求項２７】
前記物理環境のオブジェクトまたは部分の状況または状態を検出するセンサに関連するセンサ・データサンプルを前記装置に受信させることは、前記装置に、前記物理環境のオブジェクトまたは部分の検出、測位、方位、または位置の決定を実行するレーダまたはＬｉＤＡＲから前記センサ・データサンプルを受信させることを含む、請求項２６に記載の装置。
【請求項２８】
前記装置に無線ネットワークに関連する無線ネットワーク情報を受信させるステップは、前記装置に、
前記無線ネットワークのための無線ネットワーク鍵性能指標と、
無線ネットワーク動作に関連する情報と、
無線ネットワーク構成パラメータと、
の少なくとも１つを受信させることを含む、
請求項２１−２７のいずれか１項に記載の装置。
【請求項２９】
前記無線ネットワークキー性能インジケータが、受信号強度、総受信電力、受信干渉電力、信号対干渉＋ノイズ比（ＳＩＮＲ）、経路損失、基準信号受信電力、基準信号受信品質、受信信号強度インジケータ、信頼性、ブロック・エラー率、レイテンシ、ジッタ、カバー領域（ｃｏｖｅｒａｇｅ）、容量、データ転送速度、ランク指標、変調および符号化スキームインジケータ、チャネル状態情報、および、タイミングアドバンスのうちの少なくとも１つを含む、請求項２８に記載の装置。
【請求項３０】
前記無線ネットワークのための前記無線ネットワーク構成パラメータは、基地局またはユーザデバイスの識別子、構成、または座標のうちの少なくとも１つを含む、請求項２８または２９に記載の装置。
【請求項３１】
無線ネットワーク動作に関連する前記情報が、
ターゲット基地局へのユーザデバイスのハンドオーバ、
２つ以上の基地局間のトラフィックまたはデータのロードバランシング、
基地局とユーザデバイスとの間の無線リンクのためのリンク適応、
ユーザデバイスによって実行されるセル選択またはセル再選択、
スケジューリング、資源配分、送信電力制御、および、タイミングアドバンス調整のうちの少なくとも１つに関連する情報を含む、請求項２８ないし３０のいずれか１項に記載の装置。
【請求項３２】
前記装置に、１つ以上の関連するセンサおよび無線ネットワーク情報データサンプルを決定させることは、前記装置に、前記無線ネットワーク情報データサンプルの１つ以上の時間ウィンドウ内にある１つ以上のセンサ・データサンプルの時間に基づいて、１つ以上の関連するセンサおよび無線ネットワーク情報データサンプルを決定させることを含む、請求項２１−３１のいずれか１項に記載の装置。
【請求項３３】
前記装置に、１つ以上の関連するセンサおよび無線ネットワーク情報データサンプルを決定させることは、前記装置に、
第１のセンサが、少なくとも第１の通信要素と、対になっているか、または関連付けられていることを決定させ、
少なくとも前記第１の通信要素に関連付けられた１つ以上の前記無線ネットワーク情報データサンプルの時間ウィンドウ内にある第１のセンサからの１つ以上のセンサ・データサンプルの時間に基づいて、１つ以上の関連するセンサおよび無線ネットワーク情報データサンプルを決定させること
を含む、請求項２１ないし３２のいずれか１項に記載の装置。
【請求項３４】
前記第１の通信要素は、
コンピュータまたはサーバ、および、
基地局、ユーザデバイス、コアネットワーク要素、または他の無線ネットワーク要素の少なくとも１つを含む、前記無線ネットワークに関連する無線ネットワーク、
のうちの少なくとも１つを含む、
請求項３３に記載の装置。
【請求項３５】
前記装置に、前記無線ネットワークの性能に関連する前記１つ以上の関連センサおよび無線ネットワーク情報データサンプルの少なくとも一部を選択させることは、前記装置に、
前記無線ネットワークの性能の変化の前に発生するか、またはサンプリングされる前記１つ以上の関連するセンサおよび無線ネットワーク情報データサンプルのうちの少なくとも一部を選択させることと、
前記無線ネットワークの性能の変化の間に発生するか、またはサンプリングされる前記１つ以上の関連するセンサおよび無線ネットワーク情報データサンプルのうちの少なくとも一部を選択させることと、
前記無線ネットワークの性能の変化の後に発生するか、またはサンプリングされる前記１つ以上の関連するセンサおよび無線ネットワーク情報データサンプルのうちの少なくとも一部を選択させることと、
のうちの少なくとも１つを実行させることを含む、
請求項２１ないし３４のいずれか１項に記載の装置。
【請求項３６】
前記装置に、前記無線ネットワークの性能に関連する前記１つ以上の関連センサおよび無線ネットワーク情報データサンプルのうちのの少なくとも一部を選択させることは、前記装置に、
前記無線ネットワークの性能の低下の前に発生するか、またはサンプリングされる前記１つ以上の関連するセンサおよび無線ネットワーク情報データサンプルの少なくとも一部を選択することと、
前記無線ネットワークの性能の低下中に発生するか、またはサンプリングされる前記１つ以上の関連センサおよび無線ネットワーク情報データサンプルの少なくとも一部を選択することと、
前記無線ネットワークの性能の低下後に発生するか、またはサンプリングされる前記１つ以上の関連センサおよび無線ネットワーク情報データサンプルの少なくとも一部を選択することと、
のうちの少なくとも１つを実行させることを含む、請求項２１ないし３５のいずれか１項に記載の装置。
【請求項３７】
さらに前記装置に、前記無線ネットワークの性能に関連する前記選択された関連センサおよび無線ネットワーク情報データサンプルの選択理由をラベル表示させる、請求項２１ないし３６のいずれか１項に記載の方法。
【発明の詳細な説明】
【技術分野】
【０００１】
この記述は無線通信に関する。
【背景技術】
【０００２】
通信システムは、固定通信装置または移動通信装置のような、２つ以上のノードまたは装置間の通信を可能にする設備であってもよい。信号は有線または無線のキャリアで伝送できる。
【０００３】
セルラ通信方式の実例として、３ＧＰＰ（第３世代パートナーシッププロジェクト）で標準化されているアーキテクチャがある。この分野における最近の発展は、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ：ユニバーサル移動通信システム）無線アクセス技術のＬＴＥ（ｌｏｎｇ−ｔｅｒｍ  ｅｖｏｌｕｔｉｏｎ：長期進化）と呼ばれることが多い。Ｅ‐ＵＴＲＡ（ｅｖｏｌｖｅｄ  ＵＭＴＳ  Ｔｅｒｒｅｓｔｒｉａｌ  Ｒａｄｉｏ  Ａｃｃｅｓｓ）は、モバイルネットワークのための３ＧＰＰのＬＴＥ（長期進化）アップグレードパスのエアインタフェースである。ＬＴＥ  では、拡張ノードＡＰ（ｅＮＢ）と呼ばれるベースステーションまたはアクセスポイント（ＡＰ）は、カバレッジエリアまたはセル内でワイヤレスアクセスを提供する。ＬＴＥでは、移動装置または移動局はユーザデバイス（ＵＥ）と呼ばれる。ＬＴＥには、多くの改良や開発が含まれている。
【０００４】
５Ｇ  ＮＲ（Ｎｅｗ  Ｒａｄｉｏ）開発は、３Ｇおよび４Ｇワイヤレスネットワークの以前の進化と同様に、５Ｇの要件を満たすための継続的なモバイルブロードバンド進化プロセスの一部である。さらに、５Ｇはモバイルブロードバンドに加えて、新たに出現するユースケースにもターゲットを絞っている。５Ｇの目標は、新しいレベルのデータレート、レイテンシ、信頼性、セキュリティを含むワイヤレス性能の大幅な改善を提供することである。５Ｇ  ＮＲはまた、膨大なモノのインターネット（ＩｏＴ）を効率的に接続するために拡張され、新しいタイプのミッションクリティカルなサービスを提供する可能性がある。たとえば、ＵＲＬＬＣ（Ｕｌｔｒａ−Ｒｅｌｉａｂｌｅ  ａｎｄ  Ｌｏｗ−Ｌａｔｅｎｃｙ  Ｃｏｍｍｕｎｉｃａｔｉｏｎｓ）装置は、高い信頼性と非常に低いレイテンシを必要とする場合がある。
【発明の概要】
【０００５】
一実施形態によれば、本願方法は、１つ以上のセンサからセンサ・データサンプルを受信するステップと、無線ネットワークに関連付けられた無線ネットワーク情報データサンプルを受信するステップと、受信した１つ以上のセンサ・データサンプルと受信した無線ネットワーク情報データサンプルの１つ以上の関連付けに基づいて、１つ以上の関連付けられたセンサおよび無線ネットワーク情報データサンプルを決定するステップと、無線ネットワークのパフォーマンスに関連する１つ以上の関連付けられたセンサおよび無線ネットワーク情報データサンプルの少なくとも一部を選択するステップと、選択された関連付けられたセンサおよび無線ネットワーク情報データサンプルを後続の使用のために転送するステップとを含む。
【０００６】
一実施形態によれば、本願装置は、少なくとも１つのプロセッサと、コンピュータ命令を含む少なくとも１つのメモリとを含み、少なくとも１つのプロセッサによって実行されると、この装置は、１つ以上のセンサからセンサ・データサンプルを受信するようにし、無線ネットワークに関連付けられた無線ネットワーク情報データサンプルを受信し、受信した１つ以上のセンサ・データサンプルと受信した無線ネットワーク情報データサンプルの１つ以上の関連付けに基づいて、１つ以上の関連付けられたセンサおよび無線ネットワーク情報データサンプルを決定し、無線ネットワークのパフォーマンスに関連する１つ以上の関連付けられたセンサおよび無線ネットワーク情報データサンプルの少なくとも一部を選択し、その後の使用のために、選択された関連付けられたセンサおよび無線ネットワーク情報データサンプルを転送するようにさせる。
【０００７】
一実施形態によれば、非一時的コンピュータ読み取り可能な格納媒体は、少なくとも１つのプロセッサによって実行されるとき、コンピューティング・システムに、１つ以上のセンサ、センサ・データサンプルを受信し、無線ネットワークに関連する無線ネットワーク情報データサンプルを受信し、１つ以上の受信センサ・データサンプルと１つ以上の受信無線ネットワーク情報データサンプルとの関連付けに基づいて、１つ以上の関連センサおよび無線ネットワーク情報データサンプルを決定し、無線ネットワークのパフォーマンスに関連する１つ以上の関連センサおよび無線ネットワーク情報データサンプルの少なくとも一部を選択し、その後の使用のために、選択された関連センサおよび無線ネットワーク情報データサンプルを転送する、方法を実行させるように構成される、その上に格納された命令を含む。
【０００８】
実施形態の１つ以上の例の詳細は、添付の図面および以下の説明で説明される。他の特徴は、明細書および図面、並びにクレームから明らかである。
【図面の簡単な説明】
【０００９】
【図１】図１は、実施例に係る無線ネットワークのブロック図である。
【図２】図２は、例の実施形態にしたがう、ロボット上に設けられたユーザデバイス／ＵＥの位置と、ブロッキングオブジェクトによるそのユーザデバイス／ＵＥに対する受信電力の変化と、の間の決定的な挙動を示す図である。
【図３】図３は、一実施形態による工場内でサイクルを繰り返すロボットを示す図である。
【図４】図４は、実施例に係るネットワークの動作を示す図である。
【図５】図５は、実施例に係るセンサ・データサンプルと無線ネットワーク情報データサンプルとを関連付ける図である。
【図６】図６は、実施例に係るデータフィルタリング・アンド・関連（ＤＦＡ）を示す図である。
【図７】図７は、実施例に係るデータ管理エンティティの図である。
【図８】図８は、ユーザ機器（ＵＥ）と、ＵＥのための無線ネットワーク性能に影響を与える動的または移動ブロックオブジェクト８１２とを有するロボット８１０を示す図である。
【図９】図９は、エラーの前、エラーの間、およびエラーの後の期間の無線ネットワーク情報（ＲＩ）を示す図である。
【図１０】図１０は、プレ・エラー、エラーおよびポスト・エラー位置内のダイナミックブロッキングオブジェクトのビデオのビデオフレームを示す。
【図１１】図１１は、異なるビデオフレームに関連する、エラー前、エラーおよびエラー後時間のために転送または受信されるデータを示す図である。
【図１２】図１２は、ＤＦＡアルゴリズムがマルチアクセスエッジクラウド（ＭＥＣ：Ｍｕｌｔｉ−Ａｃｃｅｓｓ  Ｅｄｇｅ  Ｃｌｏｕｄ）サーバ内にある配置オプションを示す図である。
【図１３】図１３は、図１２と同様の配置を示す図であり、センサデータがＳＤＦアグリゲーション機能に集約される点が異なる。
【図１４】図１４は、センサおよびＤＦＡ−アルゴリズムインスタンス５２０が無線ネットワーク（ＲＮ）４１２の内部にある展開オプションを示す図である。
【図１５】図１５は、実施例に係るシステムの動作を示すフローチャートである。
【図１６】図１６は、実施例に係る無線ステーション（例えば、ＡＰ、ＢＳまたはユーザデバイス、または他のネットワークノード）のブロック図である。
【発明を実施するための形態】
【００１０】
図１は、実施例に係る無線ネットワーク１３０のブロック図である。図１の無線ネットワーク１３０において、移動局（ＭＳ）またはユーザ装置（ＵＥ）とも呼ばれるユーザデバイス１３１、１３２、１３３および１３５は、アクセスポイント（ＡＰ）、拡張ノードＢ（ｅＮＢ）またはネットワークノードとも呼ばれる基地局（ＢＳ）１３４と接続（および通信）されてもよい。アクセスポイント（ＡＰ）、基地局（ＢＳ）またはｅノードＢ（ｅＮＢ）の機能の少なくとも一部は、リモート無線ヘッドなどのトランシーバに動作可能に接続されていてもよい任意のノード、サーバ、またはホストによって実行されてもよい。ＢＳ１３４は、ユーザデバイス１３１、１３２、１３３および１３５を含むセル１３６内に無線カバレッジを提供する。ＢＳ１３４に接続または付属されているものとして示されているユーザデバイスは４つだけであるが、任意の数のユーザデバイスが提供されてもよい。ＢＳ１３４はまた、Ｓ１インタフェース１５１を介してコアネットワーク１５０に接続される。これは、単なる無線ネットワークの１つの単純な例であり、他のものが使用される可能性がある。
【００１１】
ユーザデバイス（ユーザ端末、ユーザデバイス（ＵＥ））は、加入者識別モジュール（ＳＩＭ）と共に、または加入者識別モジュールなしで動作する無線移動通信装置を含む携帯計算装置を指すことができ、これには、例として、移動局（ＭＳ）、携帯電話、携帯電話、スマートフォン、携帯情報端末（ＰＤＡ）、ハンドセット、無線モデム（アラームまたは測定装置など）を使用する装置、ラップトップおよび／またはタッチスクリーンコンピュータ、タブレット、ファブレット、ゲームコンソール、ノートブック、およびマルチメディア装置、または他の任意の無線装置が含まれるが、これらに限定されない。ユーザデバイスは、ほぼ排他的なアップリンクのみのデバイスであってもよく、その例は、ネットワークに画像またはビデオフィードをロードするカメラまたはビデオカメラであることが理解されるべきである。
【００１２】
ＬＴＥ（一例として）では、コアネットワーク１５０は、ＢＳ間のユーザデバイスの移動性／ハンドオーバを処理または支援することができる移動性管理エンティティ、ＢＳとパケットデータネットワークまたはインターネット間でデータおよび制御信号を転送することができる１つ以上のゲートウェイ、および、他の制御機能またはブロックを含むことができる、進化パケットコア（ＥＰＣ）と呼ばれることがある。
【００１３】
加えて、例示的な例として、本明細書に記載する各種実施形態または技法は、各種タイプのユーザデバイスまたはデータサービスタイプに適用することができ、または、異なるデータサービスタイプであってもよい複数のアプリケーションをその上で実行することができるユーザデバイスに適用することができる。ＮＲ（５Ｇ）開発は、例えば、装置タイプ通信（ＭＴＣ）、拡張装置タイプ通信（ｅＭＴＣ）、モノのインターネット（ＩｏＴ）、および／または、ナローバンドＩｏＴユーザデバイス、拡張モバイルブロードバンド（ｅＭＢＢ）、および超高信頼および低レイテンシ通信（ＵＲＬＬＣ）など、多数の異なるアプリケーションまたは多数の異なるデータサービスタイプをサポートする可能性がある。
【００１４】
ＩｏＴは、インターネットまたはネットワーク接続性を持つ可能性があるオブジェクトの増加し続けるグループを指し、これらのオブジェクトが他のネットワークデバイスと情報を送受信する可能性がある。例えば、多くのセンサタイプのアプリケーションまたは装置は、物理的状況または状態を監視し、例えば、事象が発生したときに、サーバまたは他のネットワーク装置にレポートを送信することができる。マシンタイプ通信（ＭＴＣ、またはマシン対マシン通信）は、例えば、人間の介入の有無にかかわらず、知的マシン間の完全自動データ生成、交換、処理、および作動を特徴とすることができる。拡張モバイルブロードバンド（ｅＭＢＢ）は、現在ＬＴＥで利用可能なものよりもはるかに高いデータレートをサポートする可能性がある。
【００１５】
ＵＲＬＬＣ（Ｕｌｔｒａ−ｒｅｌｉａｂｌｅ  ａｎｄ  ｌｏｗ−ｌａｔｅｎｃｙ  ｃｏｍｍｕｎｉｃａｔｉｏｎｓ）は、新しいデータサービスタイプであり、ＮＲ（５Ｇ）システムでサポートされる可能性がある。これにより、産業オートメーション、自律運転、車両安全、ｅ−ヘルスサービスなど、新しいアプリケーションとサービスが可能になる。３ＧＰＰは、１０−５のブロック・エラーレート（ＢＬＥＲ）と最大１ｍｓのＵ−Ｐｌａｎｅ（ユーザ／データプレーン）レイテンシに対応する信頼性を提供するためのターゲットである。したがって、例えば、ＵＲＬＬＣユーザデバイス／ＵＥは、他のタイプのユーザデバイス／ＵＥよりもかなり低いブロック・エラー率、ならびに低レイテンシ（同時高信頼性の要求の有無に関わらず）を必要とすることがある。したがって、たとえば、ＵＲＬＬＣ  ＵＥ（またはＵＥ上のＵＲＬＬＣアプリケーション）は、ｅＭＢＢ  ＵＥ（またはＵＥ上で実行されているｅＭＢＢアプリケーション）と比較して、はるかに短いレイテンシを必要とする場合がある。
【００１６】
様々な実施例の実施例は、ＬＴＥ、ＬＴＥ−Ａ、５Ｇ、ｃｍＷａｖｅ、および／またはｍｍＷａｖｅバンドネットワーク、ＩｏＴ、ＭＴＣ、ｅＭＴＣ、ｅＭＢＢ、ＵＲＬＬＣ等、または他の任意の無線ネットワークまたは無線技術のような、多種多様な無線技術または無線ネットワークに適用することができる。これらのネットワーク、技術またはデータサービスタイプの例は、例示的な例としてのみ提供されている。
【００１７】
前述のように、５Ｇテクノロジーは、データレート（または帯域幅）を大幅に増加させ、レイテンシを減少させることが期待されている。ＵＲＬＬＣなどの５Ｇテクノロジーの多くは、保証された低レイテンシなど、非常に厳しい性能を必要とする場合がある。ただし、物理環境の動的な性質により、無線ネットワークのパフォーマンスが頻繁または継続的に変化する場合がある。環境の変化によって、無線ネットワークのパフォーマンスが、前述のように、ＢＬＥＲやレイテンシの要件など、一部の５Ｇアプリケーション（ＵＲＬＬＣアプリケーションなど）で必要な５Ｇパフォーマンス要件を満たさないレベルに低下することがある。ＵＥまたはＢＳは、信号対干渉プラス雑音比の変化、受信信号強度、ブロック・エラー率（ＢＬＥＲ）、または他のＫＰＩまたは測定のような、ＫＰＩ（ｋｅｙ  ｐｅｒｆｏｒｍａｎｃｅ  ｉｎｄｉｃａｔｏｒ：主要性能指標）の変化、例えば、劣化する無線ネットワーク性能を示す変化を測定することができる。しかしながら、非常に厳しい５Ｇネットワーク性能要件（例えば、待ち時間および／またはＢＬＥＲまたは他の要件）のため、多くの場合、ＵＥまたはＢＳが劣化した無線ネットワーク性能、例えば、ＵＥとＢＳとの間の無線／無線チャネルを検出するのに十分な時間がないことがあり、その後、無線ネットワークまたは無線チャネルの性能が５Ｇアプリケーションの許容レベルを下回る前に、無線ネットワーク性能を改善する処置を講じる。例示的な例によれば、ＵＥまたはＢＳは、例えば、ＵＥとＢＳとの間の無線チャネルのＳＩＮＲまたは受信信号強度の低下を検出し、その後、接続ロバスト性の増大（例えば、よりロバストな変調および符号化スキームを使用し、および／または追加の多重接続性リンクをアクティブにすることによって）を要求または実行し、または、例えば、切断を回避するため、またはＵＥのための無線ネットワーク性能を改善しようとするために、別のＢＳへのハンドオーバを実行することができる。したがって、例えば、無線ネットワークの性能変化を検出する（例えば、ＳＩＮＲの減少または受信信号強度または他のＫＰＩの変化の減少を検出する）というこのようなリアクティブなアプローチは、その後、無線ネットワークに対して何らかの措置を実行することによって、このような検出された変化に反応することは、５Ｇ無線ネットワークの厳しい待ち時間およびＢＬＥＲ要件にとって適切ではない可能性がある。例えば、接続の堅牢性および／またはハンドオーバをリアクティブに実行することにより、この例では、無線ネットワークの性能が、５Ｇの要件を下回るレベルに低下する結果となる可能性がある（例えば、ＢＬＥＲおよび／またはレイテンシが許容できないほど高くなったり、接続障害が発生したりする可能性がある）。この問題は、無線ネットワークの測定または測定されたＫＰＩの測定された変化に対応する際に、無線ネットワークの測定または測定されたＫＰＩの変化が検出された時間によって、ネットワーク・パフォーマンスのさらなる低下を回避するために１つ以上のアクションを実行するのに十分な時間がないことが原因で発生する可能性がある。
【００１８】
したがって、実施例によれば、より予測的またはよりプリエンプティブなアプローチを使用して、１つ以上の関連するセンサおよび無線ネットワーク情報データサンプルに基づいて、無線ネットワーク性能における期待または予測される変化に対処することができる。このようなアプローチの主要な利点または技術的利点は、ネットワーク性能がＵＲＬＬＣのような重要なアプリケーションの許容レベルを下回る前に先制的な訂正アクションの実行または実行を可能にすることである。これは、関連付けられたセンサと無線ネットワークデータが最適化方法の新たな情報をもたらすため、従来のアプローチでは予測できない（または予測が困難である）イベントを予測できるため、無線ネットワークデータのみを利用するためである。例えば、物理環境の決定的な性質は、例えば無線ネットワーク性能を改善するために、１つ以上のプリエンプティブ訂正無線ネットワーク動作および／またはプリエンプティブ訂正非無線ネットワーク動作のような、１つ以上のプリエンプティブ訂正動作を実行するために使用されてもよい。関連するセンサおよび無線ネットワーク情報データサンプルのうち、無線ネットワークの性能に関連するもの（例えば、無線ネットワークの性能が低下する可能性が高い、または期待されることを示す可能性があるもの）を選択することができる。例えば、過去の関連センサ・データサンプルおよび無線ネットワーク情報データサンプルに基づいて、オブジェクトの挙動または移動における特定のパターン、または物理環境における変化は、無線ネットワーク性能における現在および／または将来（例えば、予期または予測）の変化に関連することがある。選択された関連センサおよび無線ネットワーク情報データサンプルは、後続の使用のために転送されてもよい（例えば、処理のためにデータベースに格納されてもよいし、無線ネットワーク性能を改善するアクションを実行するために使用されてもよい）。したがって、物理環境に関連する時空間センサデータは、特定の無線ネットワーク情報と相関する可能性があるため、関連するセンサおよび無線ネットワーク情報（ＡＳＲＩ）データサンプルは、将来の無線ネットワーク性能を予測するために使用される可能性がある。特に、将来の無線ネットワーク性能の予測は、無線ネットワーク情報のみを使用するのと比較して、（無線ネットワーク情報に関連する）時空間センサデータの使用によって強化される可能性がある。例えば、１つ以上の動作は、関連するセンサおよび無線ネットワーク情報（ＡＳＲＩ）データサンプルに基づいて実行されてもよく、例えば、送信電力の増加、ＵＥに対する変調および符号化スキームのよりロバストまたはより低いＭＣＳへの変更、異なるＢＳへのＵＥのハンドオーバの実行、または他の無線ネットワーク動作などである。
【００１９】
一実施形態によれば、本願方法は、１つ以上のセンサからセンサ・データサンプルを受信することと、無線ネットワークに関連する無線ネットワーク情報データサンプルを受信することと、１つ以上の受信したセンサ・データサンプルの１つ以上の受信した無線ネットワーク情報データサンプルとの関連付けに基づいて、１つ以上の関連するセンサおよび無線ネットワーク情報データサンプルを決定することと、無線ネットワークのパフォーマンスに関連する１つ以上の関連センサおよび無線ネットワーク情報データサンプルの少なくとも一部を選択することと、選択した関連センサおよび無線ネットワーク情報データサンプルを後続の使用のために転送することと、を含むことができる。
【００２０】
ほとんどのＵＲＬＬＣ環境の決定的な性質は、ネットワークがそのパラメータを予測的に最適化するための高い利得ポテンシャルを提供する。一実施形態によれば、無線ネットワーク測定（例えば、ＵＥ測定）は、物理環境の状態にマッピングされるか、またはそれに関連することができる。これらのマッピングまたは関連情報は、ネットワーク性能を改善するために、ネットワーク自己最適化のモデルまたは予測アルゴリズム（人工知能モデルまたはＱ学習による強化学習などの方法、または他のモデル）によって使用されてもよい。このようにして、より良いパフォーマンスまたはエラーにつながる状態およびアクションを検出することができ、無線ネットワークのパフォーマンスを改善すると予測または期待されるアクション（例えば、無線ネットワークアクション、または物理環境の可能な変化）を実行することができる（たとえば、ＳＩＮＲを増やし、接続障害や切断を回避し、レイテンシを減らす。
【００２１】
図２は、実施例に実施形態ブロッキングオブジェクトによる、ロボット上に設けられたユーザデバイス／ＵＥの場所（または位置）と、ユーザデバイス／ＵＥに対する受信電力の変化との間の決定的な挙動を示す図である。図２に示す例では、ロボット２１０がＢＴＳ１に関してブロッキングオブジェクト２１８の後ろを通過するときに、ＵＥ（決定的な経路を繰り返すロボット）と基地局ＢＴＳ１との間で２２０における信号ブロッケージが発生し、その結果、例えばロボット／ＵＥが１５０ｍ〜３５０ｍ（２２０）の間のｘ座標に位置するとき、ＢＴＳ１からの信号レベル２１４がエラー閾値２１２を下回る結果となる。
【００２２】
一実施形態によると、この種の状況に対する１つの解決策は、ロボット２１０上のＵＥのＢＴＳ１からＢＴＳ２へのハンドオーバ（ＢＴＳ２からの受信電力信号２１６によって示されるように、受信電力の低下を被らない）を含んでもよい。しかしながら、ＢＴＳ１からＢＴＳ２へのこのようなＵＥのハンドオーバを実行するためのレイテンシ２２２は、非常に重要であり、ＵＥとＢＴＳ１との間の接続（またはドロップされた接続）における損失を防ぐのに十分な短さではない可能性がある。前述のように、この問題を解決する１つの解決策は、ＵＥのＢＴＳ２へのハンドオーバである。しかしながら、従来のハンドオーバ方法は反応的であり、信号レベルが非常に速く低下するので、ＢＴＳ２にスイッチする（またはハンドオーバする）レイテンシ２２２は、例として、ＵＲＬＬＣ要件によって許容されないエラーを引き起こす。信号遮断前の無線信号変化量は、必ずしもＵＥによる受信電力の来るべき低下を示すものではないので、受信電力の低下（またはネットワーク性能の他の検出された低下）に反応する伝統的な方法は、ネットワーク性能のさらなる劣化または無線ネットワークのためのエラー状態を効果的に防止できないかもしれない。例えば、上記のように、レイテンシ、ＢＬＥＲ、ハンドオーバレイテンシ、データレート、信頼性などの点で非常に厳しい要件を持つ可能性がある５Ｇネットワーク（例えばＵＲＬＬＣや他のアプリケーション）については、無線ネットワーク性能の低下を防ぐための反応的なアプローチ（例えば、ＵＥやＢＳによって無線ネットワーク性能の低下が測定または検出された後にのみアクションを実行すること）は、通常、無線ネットワーク性能のさらなる低下を防ぐことも、特定のエラー状態を回避することもできない。言い換えると、ＵＲＬＬＣのような一部の５Ｇアプリケーションの厳しい性能要件により、ネットワーク性能の低下を検出した後（例えば、ＳＩＮＲの低下または受信信号強度の低下を検出した後）、無線ネットワーク動作を実行して、無線ネットワーク性能のさらなる許容できない低下を防ぐために、十分な時間がないかもしれない。
【００２３】
したがって、一実施例によれば、無線ネットワーク性能（または無線ネットワークに関連するデータサンプル）と物理環境の状態（例えば、ロボットの位置）を示すセンサ・データサンプルとの相関または関連を、将来の無線ネットワーク性能を予測するために、および／またはネットワーク性能を改善する可能性がある無線ネットワーク動作を実行するために使用することができる。例えば、ロボット位置／位置と受信電力との間の関連付けまたは相関に基づいて、ロボット２１０の位置が１３０ｍから１４０ｍに移動するとき（例えば、位置は、無線ネットワーク性能、例えば、受信電力、の低下が通常最初に検出される１５０ｍのｘ座標の前である）、ＵＥのハンドオーバを先行して（例えば、受信電力の有意な低下が検出される前に）実行することができる。この例では、ＢＴＳ１からＢＴＳ２へのハンドオーバは、ロボットが１４０ｍのｘ座標に達したときに実行されてもよく、これは、例えば、無線ネットワークの性能を改善するために、２２２以上の十分な時間を提供するためである（例えば、この場合、受信電力の低下が閾値２１２を下回ること、および／またはＵＥとＢＴＳ１との間の接続の損失を回避するため）。
【００２４】
したがって、無線チャネルまたは無線ネットワークの決定的な挙動に影響を与える（別の決定的な周期を導入する）物理環境の動的変化を考慮する方法には、課題が存在する可能性がある。この問題は、図３において、ロボット３１０が工場でサイクルを繰り返すところで実証されている。工場の積み込みポートドア３１２が閉じられると、ロボット３１０が経験する屋外基地局３１４からの干渉は、決定的なサイクル−Ａに従う。ドアが開くと、より多くの干渉が屋内を伝搬し、新しい決定的なサイクルが導入される（周期‐Ｂ）。たとえば、物理環境の状態は、環境内の物理オブジェクトの状態、場所、位置、方向（またはその他の物理的特性）を示す場合がある。例えば、ロボットの位置、ロボットアームの向きなどである。したがって、この場合、ローディングポートドア３１２の状態は、現在または将来の無線ネットワーク性能と関連付けられてもよい。これにより、図３に示すように、ローディングポートドア３１２が開いている場合には室外ＢＳ３１４からの干渉が大きくなる。したがって、この例では、物理環境の状態を使用して、無線ネットワークの将来の状態（または、無線ネットワーク性能の将来の状態、および／または、異なる動作（例えば、異なる無線ネットワーク動作および／または物理環境動作）を試みて、無線ネットワーク性能の最良の改善を提供する動作を決定することができる。例えば、ロボット３１０のＵＥへの送信電力の増大、またはローディングポートドア３１２が開く直前のＵＥ／ロボット３１０への送信のためのより強固な変調およびコーディングスキームの使用、または無線ネットワーク性能に影響を与える異なる時間に開くためのローディングポートドアの変更など、１つ以上の動作が実行されてもよく（または、実行されてから測定されて、どの動作が最高の性能向上をもたらすかを決定することさえ可能である）。
【００２５】
一実施形態によれば、この方法は、１つ以上のセンサからセンサ・データサンプルを受信することと、無線ネットワークに関連する無線ネットワーク情報データサンプルを受信することと、１つ以上の関連センサおよび無線ネットワーク情報データサンプルを受信した１つ以上のセンサ・データサンプルと、受信した無線ネットワーク情報データサンプルの１つ以上との関連付けに基づいて、決定することと、無線ネットワークの性能に関連する１つ以上の関連センサおよび無線ネットワーク情報データサンプルの少なくとも一部を選択することと、選択された関連センサおよび無線ネットワーク情報データサンプルを後続の使用のために転送することと、を含むことができる。一実施形態によれば、センサ・データサンプルは、物理環境に関連する時空間センサ・データサンプルを含む。例えば、時空間データサンプルは、特定の時間またはサンプリング時間におけるオブジェクトの状態または物理環境の状態を示すデータサンプルを含むことができる。また、一実施形態によれば、転送は、例えば、選択された関連センサおよび無線ネットワーク情報データサンプルを格納すること、および／または、処理のために選択された関連センサおよび無線ネットワーク情報データサンプルを転送することを含む。この方法は、選択された関連センサおよび無線ネットワーク情報データサンプルに基づいて、少なくとも１つの動作を実行することをさらに含み得る。例えば、この動作には、例えば、無線ネットワークパラメータまたは構成を調整するような無線ネットワーク動作を実行すること、および／または、オブジェクトの状態を移動または変更するような物理環境に対して動作を実行すること）を含み、無線ネットワークのパフォーマンスを向上させることができる。例えば、動作を実行することは、１つ以上の無線ネットワーク動作、１つ以上の自動無線ネットワーク動作、ネットワーク自己最適化アルゴリズムによってトリガされる１つ以上の自動無線ネットワーク動作、および／または、無線ネットワークの性能を改善するために物理環境のオブジェクトまたは態様が変更される１つ以上の非無線ネットワーク動作（例えば、物理環境に関連する動作）の１つ以上のものを含むことができる。また、例えば、１つ以上のセンサから、センサ・データサンプルを受信することは、物理環境のオブジェクトまたは部分を制御するボタン、スイッチ、またはコントローラ、オブジェクトの位置、向き、または動きを制御するボタン、スイッチ、またはコントローラ、オブジェクトの状況または状態を制御するボタン、スイッチ、またはコントローラ、オブジェクトまたは物理環境の一部のオブジェクトまたは部分の画像またはビデオフィードをキャプチャするカメラ、およびオブジェクトまたは部分の状態を検出するセンサのうちの１つ以上に関連するセンサ・データサンプルを受信することを含み得る。さらなる例では、物理環境のオブジェクトまたは一部のステータスまたは状態を検出するセンサに関連する受信センサデータは、例えば、物理環境の検出、測距、方位または位置決定を行うレーダまたはＬｉＤＡＲからのセンサデータの受信を含んでもよい。
【００２６】
また、例えば、無線ネットワークに関連する受信側無線ネットワーク情報は、例示的な例として、無線ネットワークのための無線ネットワーク鍵性能指標と、無線ネットワーク動作に関連する情報と、無線ネットワーク構成パラメータとのうちの少なくとも１つを受信することを含み得る。また、例として、無線ネットワークキーパフォーマンスインジケータには、受信信号強度、総受信性能、受信干渉性能、および、信号対干渉プラスノイズ比（ＳＩＮＲ）、経路損失、基準信号受信性能、基準信号受信品質、受信信号強度インジケータ、信頼性、ブロック・エラーレート、レイテンシ、ジッタ、カバレッジ、キャパシティ、データ転送レート、ランクインジケータ、変調および符号化方式インジケータ、チャネル状態情報、およびタイミングアドバンスのうちの１つ以上を含めることができる。
【００２７】
また、一実施形態によれば、１つ以上の関連センサおよび無線ネットワーク情報データサンプルを決定することは、一例として、無線ネットワーク情報データサンプルの１つ以上の時間ウィンドウ内にある１つ以上のセンサ・データサンプルの時間に基づいて、１つ以上の関連センサおよび無線ネットワーク情報データサンプルを決定することを含むことができる。また、１つ以上の関連するセンサおよび無線ネットワーク情報データサンプルを決定することは、第１のセンサが少なくとも第１の通信要素と対になっているか、または関連することを決定することと、少なくとも第１の通信要素に関連する１つ以上の無線ネットワーク情報データサンプルの時間ウィンドウ内にある第１のセンサからの１つ以上のセンサ・データサンプルの時間に基づいて、１つ以上の関連するセンサおよび無線ネットワーク情報データサンプルを決定することとを含むことができる。例えば、通信要素は、基地局（ＢＳ）、ユーザデバイス（またはＵＥ）、コアネットワーク要素、または他の無線ネットワーク要素の少なくとも１つを含む、例えば、コンピュータまたはサーバ、または無線ネットワークに関連する無線ネットワーク要素を含むことができる。また、無線ネットワークの性能に関連する１つ以上の関連センサおよび無線ネットワーク情報データサンプルの少なくとも一部を選択することは、例えば、無線ネットワークの性能の変化の前に発生するか、またはサンプリングされる１つ以上の関連センサおよび無線ネットワーク情報データサンプルの少なくとも一部を選択することと、無線ネットワークの性能の変化の後に発生するか、またはサンプリングされる１つ以上の関連センサおよび無線ネットワーク情報データサンプルの少なくとも一部を選択することと、無線ネットワークの性能の変化の後に発生するか、またはサンプリングされる１つ以上の関連センサおよび無線ネットワーク情報データサンプルを選択することと、のうちの１つ以上を含むことができる。また、例えば、無線ネットワークの性能に関連する、１つ以上の関連センサおよび無線ネットワーク情報データサンプルの少なくとも一部を選択することは、無線ネットワークの性能低下の前に発生またはサンプリングされる、１つ以上の関連センサおよび無線ネットワーク情報データサンプルの少なくとも一部を選択することと、無線ネットワークの性能低下の間に発生またはサンプリングされる、１つ以上の関連センサおよび無線ネットワーク情報データサンプルの少なくとも一部を選択することと、無線ネットワークの性能低下の後に発生またはサンプリングされる、１つ以上の関連センサおよび無線ネットワーク情報データサンプルの少なくとも一部を選択することと、のうちの１つ以上を含み得る。また、この方法は、無線ネットワークの性能に関連する、選択された関連センサおよび無線ネットワーク情報データサンプルの選択の理由をラベリングすることをさらに含み得る。
【００２８】
図４は、実施例に係るネットワークの動作を示す図である。図４のネットワークは、物理環境の状態、例えば、オブジェクトの位置、位置、方位または他の状態などに関連するセンサ・データサンプルを生成することができる１つ以上のセンサ４１０を含むことができる。ネットワークはまた、例えば、コアネットワーク、１つ以上のＢＳ、および／または１つ以上のＵＥ等の無線ネットワーク４１２を含んでもよい。無線ネットワーク４１２は、無線ネットワークの状態および／または無線ネットワーク性能の状態を示す無線ネットワーク情報データサンプル、例えば、無線ネットワークの１つ以上の主要性能指標の値を示すなどを提供することができる。システムは、簡単な概要として、
１）  環境から時空間データを捕捉するセンサ、
２）  ＲＮ（Ｒａｄｉｏ−Ｎｅｔｗｏｒｋ）キャプチャＲＮ  情報（ＲＩ）
３）  ＲＩはセンサデータフィード（ＳＤＦ）に関連付けられていること、
４）  ネットワーク・パフォーマンスに関連すると考えられる関連データサンプルには、データ・ストリームからラベルを付けて選択すること、
５）  関連するデータサンプルは、データベースに格納されるか、またはさらなる処理のために直接転送されること、
６）  関連データは、ネットワーク管理および最適化エンティティに対して入力されること、
を含むか、または実行することができる。
【００２９】
なお、詳細例として、以下に説明する。
【００３０】
１）  この文脈での  センサ  は、環境の時空間的変化を感知できる任意のデバイスを指す。センサは、固定式または移動式であってもよく、１つ以上のものが、より大きなシステム（例えば、ドローン、（自己駆動）車、またはロボットに配置された様々なセンサ）の一部として共位置決めされてもよい。このようなセンサのいくつかの、しかし限定的ではない例は、Ａ）  環境を制御するボタンやスイッチ（ドアを開くボタンなど）、Ｂ）  環境の画像またはビデオフィードをキャプチャするカメラ（例：無線設置に設置されたカメラ、またはすでに存在する監視カメラ設置）、Ｃ）  ライダー、レーダ、または検出、測位、方位、または位置情報を提供するその他のセンサ、を含む。ライダーは、パルスレーザー光でターゲットを照射し、反射パルスをセンサで測定することによって、ターゲットまでの距離を測定する測量方法である。レーダは、オブジェクトから反射された高周波数電磁波のパルスをソースに送り返すことによって、航空機、船舶、および／またはその他のオブジェクトの存在、方向、距離、および／または速度を検出するシステムを含むことができる。
【００３１】
２）  ＲＮ情報は、例えば、無線ネットワークのための無線ネットワーク主要性能指標（ＫＰＩ）、無線ネットワーク動作に関連する情報、および／または無線ネットワーク構成パラメータを含み得る。ＲＮ  ＫＰＩは、スループット、レイテンシ、ジッタ、信頼性およびＲＮ測定（例えば、受信信号強度、全受信電力、受信干渉電力）のようなＫＰＩを含み得る。ＲＮパラメータは、基地局およびＵＥの識別子、構成、または配位を含むことができる。また、ＲＮアクションは、ハンドオーバ、ロードバランシング、リンク適応、セル再選択、ＭＣＳの変化、伝送電力の変化、または任意の他のネットワーク関連パラメータの変化または更新に関連する情報など、無線ネットワークアクションに関連する情報を含むことができる。
【００３２】
３）  ＲＩとＳＤＦの関連は、例えば、時間領域における２つのデータ・ストリームをアソシエートすることを参照し得る。時間ｔ１におけるセンサｋに対するセンサ・フィードサンプルＳＤＦ（ｋ、ｔ１）は、時間ｔ２における基地局ｊからのＲＮ情報ＲＩ（ｊ、ｔ２）に関連付けられる。ここで、時間差｜ｔ１−ｔ２｜は、時間データフィードしきい値の範囲内である。例えば、時間ｔ１において捕捉されたカメラｋからの画像は、時間ｔ２における基地局ｊの信号強度測定に関連付けられる。さらなる実施形態では、関連づけは、事前に構成されたデバイスのペアに対してのみ行われる（例えば、基地局は、基地局のカバレッジ領域またはその最も強い干渉のカバレッジ領域と重なる領域からの画像またはビデオフィードを捕捉するカメラと対になっている）。
【００３３】
４）  ネットワーク性能に関連すると考えられる関連データサンプルは、データのストリームから選択することができる。一実施形態では、関連データサンプルは、無線ネットワーク性能の低下に関連するなど、無線ネットワーク性能の変化に影響を与える、または関連するサンプルを含むことができる。例えば、無線信号の伝搬に影響を与える時空間変化、例えば、信号の最も強い経路を遮断することによって無線リンク品質に影響を与える移動オブジェクト、または（干渉または自身の信号に対して）新しい強い無線経路を導入することは、関連性があると考えられる。データサンプルの関連性は、あらかじめ決められたルールによって判定される。たとえば、ＲＮ性能の急激な変化の前後の特定の時間データフィード侘データ（信号強度が、あらかじめ定義された短い時間間隔内に低下したり、＞ｘｄＢ増加したりした場合など）。無関係なデータは、ネットワークの負荷（データ、搬送負荷などを使用する後処理アプリケーションの計算負荷）を低減するためにフィルタリングされる。サンプリングは、選択の理由を示すためにラベル付けされてもよい。例えば、エラーの前（または、無線ネットワーク性能の低下の前）にデータを意味するエラー前のラベルを示すために各データサンプルをラベル付けする、エラーの後（または、無線ネットワーク性能の低下の後）にデータを意味するエラー後のラベルを示すために、サンプリングはまたラベル付けするのいずれかを示すために各データサンプルをラベル付けすることができる。
【００３４】
５）  関連するデータサンプルは、後で使用するためにデータを取り出すことができるデータベースに格納されるか、または（例えば、ネットワーク性能を最適化するために）何らかのさらなる処理のために連続的に転送される。
【００３５】
６）  ネットワーク管理および最適化エンティティは、関連するデータ（または関連するセンサおよび無線ネットワーク情報（ＡＳＲＩ））を入力として受信および／または取得することができる。関連データ（またはＡＳＲＩ）に基づいて、ＲＮパフォーマンスを向上させるためのアクションが実行される。アクションには、ＲＮアクションや、無線ネットワークのパフォーマンスに影響を与えるその他のアクションなどがある。例えば、
Ａ）  ネットワークの自己最適化アルゴリズムによってトリガされる自動ＲＮアクション（ネットワークのパラメータを自己調整したり、修正アクションをトリガしたりするなど）、
Ｂ）  ヒューマンインタフェースを介してトリガされる手動ＲＮアクション（ネットワークパラメータがネットワーク管理システムのユーザインタフェースを介して調整される、ネットワークの導入または設定が手動で調整されるなど）、
Ｃ）  物理環境（または物理環境の状態）が変更され、ＲＮ性能が向上する非ＲＮアクション（例えば、無線信号品質が低下しているオブジェクトが、何らかの方法でシフト、移動、変更されたり、環境から完全に削除されたりする）
である。
【００３６】
さらなる実施形態および実施例の詳細が、ここで説明される。
【００３７】
図５は、実施例に係るセンサ・データサンプルと無線ネットワーク情報データサンプルとを関連付ける図である。センサ１０は、物理環境に関連する１つ以上のパラメータを感知または測定することができる。一実施形態によれば、ＤＦＡ（Ｄａｔａ  Ｆｉｌｔｅｒｉｎｇ  ａｎｄ  Ａｓｓｏｃｉａｔｉｏｎ）（またはＤＦＡアルゴリズム）は、ＲＩ（ｒａｄｉｏ  ｎｅｔｗｏｒｋ  ｉｎｆｏｒｍａｔｉｏｎ：無線ネットワーク情報）５１８およびＳＤＦ（ｓｅｎｓｏｒ  ｄａｔａ  ｆｅｅｄ：センサデータフィード）５１６を関連付ける論理エンティティである。関連するデータは、ＡＳＲＩ（Ａｓｓｏｃｉａｔｅｄ  Ｓｅｎｓｏｒ  ａｎｄ  Ｒａｄｉｏ−Ｎｅｔｗｏｒｋ  Ｉｎｆｏｒｍａｔｉｏｎ）５２２と呼ばれる。ＡＳＲＩデータ５２２サンプルが保存されるストレージは、データ管理（ＤＭ）と呼ばれる。ＳＤＦ（ｓｅｎｓｏｒ  ｄａｔａ  ｆｅｅｄ：センサデータフィード）５１６は、センサ４１０からＤＦＡ５２０に出力される。前述したように、無線ネットワーク４１２は、ＢＳ、ＵＥ、および／またはコアネットワークエンティティ、あるいは他の無線ネットワークノードまたはエンティティを含むことができる。無線ネットワーク情報（ＲＩ）５１８は、ＲＮ４１２からＤＦＡ５２０に出力される。
【００３８】
図５は、ＤＦＡおよびＤＭの一実施例を示す図である。センサ４１０、および無線ネットワーク４１２、ＤＦＡ  ５２０、およびデータ管理エンティティ５２４が図５に示されている。測定：ＳＤＦ（Ｓｅｎｓｏｒ  Ｄａｔａ  Ｆｅｅｄ）５１６  ＆  ＲＩ  （Ｒａｄｉｏ−Ｎｅｔｗｏｒｋ  Ｉｎｆｏｒｍａｔｉｏｎ）  ５１８は、ＤＦＡ５２０にフィード（または入力）される。両方のデータフィードに独自のインタフェースが指定されている場合がある。ＤＦＡ５２０（またはＤＦＡ−アルゴリズム５２０）は、データ管理（ＤＭ）５２４へのデータ・ストリームを制御する。ＤＦＡ５２０は、ネットワーク性能に関連すると考えられるデータのストリーム（ＳＤＦ５１６およびＲＩ５１８）からの関連データを関連付けてフィルタリングすることができ、関連性の理由をデータにラベル付けすることもできる。ＤＦＡ５２０の１つ以上のインスタンスが存在する可能性があり、これは、異なる物理的または論理的な場所において、異なるデータソースがＤＦＡ５２０（ＤＦＡ−アルゴリズム）の異なるインスタンスによって処理される可能性があることを意味する。ＤＦＡインスタンスは、例えば、ＲＮ基地局、Ｍｏｂｉｌｅ  Ｅｄｇｅ  Ｃｏｍｐｕｔｉｎｇ（ＭＥＣ）サーバまたは他の任意のサーバまたはコンピュータに配置することができる。ＤＦＡ５２０（ＤＦＡ−アルゴリズムＡの実装は実装固有である。これには、データ関連をトリガするための事前にプログラムされたルールが含まれる。
【００３９】
ＭＥＣ（Ｍｏｂｉｌｅ  Ｅｄｇｅ  Ｃｏｍｐｕｔｉｎｇ）は、たとえば、モバイルサブスクライバの近くにあるクラウドおよびＩＴサービスやアプリケーションの提供を可能にする、５Ｇ時代の新技術である。この技術を使用すると、例として、ＢＳの近くにあるクラウドやアプリケーション・サーバ（ＢＳ内またはその一部としてのＭＥＣサーバ、ＢＳ機器が配置されている筐体や建物内にあるＭＥＣサーバ）を利用できる。ここで、例として、ＢＳ機器が設置されている場所や、ＢＳに非常に近い場所にあるＭＥＣサーバなどが挙げられる。たとえば、ＭＥＣサーバ（ＭＥＣアプリケーションと呼ばれる場合がある）にアプリケーションを提供することで、モバイルユーザが認識するエンドツーエンドのレイテンシがＭＥＣプラットフォームで削減される。ＭＥＣサーバには、他の利点もある。
【００４０】
図５を参照すると、一実施形態によれば、データ管理５２４は、関連データ５２２が送られる論理エンティティである。ＤＭ５２４は、一例として、データストレージ、入ってくるデータの即時転送、格納されたデータの転送（例えば、ＡＳＲＩデータ）の１つ以上の機能を有することができる。ＡＳＲＩデータ５２２は、ＡＳＲＩデータ５２２を送信するために使用されるプロトコルを理解することができる任意のエンティティに直接転送することができるという意味で、このエンティティはオプションである。ＤＦＡ  ５２０と同様に、アーキテクチャは、分散または中央にすることができ、つまり、ＤＦＡ  （ＤＦＡ−Ａｌｇｏｒｉｔｈｍ）５２０インスタンスからのデータ（例えば、ＡＳＲＩデータ）ストリームを、異なる物理的または論理的な場所にあるＤＭ５２４の１つ以上のインスタンスに接続することができる。
【００４１】
［ＤＦＡ］
このサブセクションでは、ＤＦＡ５２０の概要を説明する。ＤＦＡ（Ｄａｔａ−Ｆｉｌｔｅｒｉｎｇ−ａｎｄ−Ａｓｓｏｃｉａｔｉｏｎ）５２０は、無線ネットワークとセンサからのデータを関連付け、ネットワーク・パフォーマンスに関連すると考えられるデータ・ストリームからの関連データをフィルタリングしてラベル付けする。ＤＦＡ５２０には、論理的または物理的に異なる場所にある複数のインスタンスがある。たとえば、一部のセンサがＲＮ基地局内部のＤＦＡインスタンスに接続され、残りのセンサがＭＥＣサーバ内部の異なるＤＦＡ−インスタンスに接続されていることを意味する。このタイプの実装を可能にするには、いくつかのインタフェースプロトコルを定義する必要がある。これにより、マルチベンダネットワークでの実装も可能になる。
【００４２】
図６は、実施例に係るデータフィルタリング・アンド・関連（ＤＦＡ）を示す図である。ＳＤＦ（センサデータフィード）：インタフェース６１２は、センサデータを転送するプロトコルを定義する。プロトコルは、例えば、データのタイプ、各データサンプルの時間スタンプなどを示すことができ、ＲＩ−インタフェース６１４は、無線ネットワーク情報（ＲＩ）の転送プロトコルを定義する。プロトコルは、例えば、データのタイプ、各データサンプルの時間スタンプなどを示すことができ、ＤＳ−インタフェース６１６は、ＡＳＲＩ情報をＤＭ５２４に転送するためのプロトコルを定義する。構成−インタフェース６１８は、例えばＤＦＡアルゴリズム構成データに基づいて、ＤＦＡ５２０の動作またはアルゴリズムを構成するためのプロトコルを定義する。このインタフェース６１８を介して、カスタムデータ関連アルゴリズムまたはルールを各ＤＦＡ５２０インスタンスに実装することができる。制御インタフェース６２０は、センサ４１０および／または４１２に制御またはフィードバックを提供するために、事前定義された一連の指示から指示を送信するプロトコルを定義する。例えば、ＲＩがネットワーク内のエラーを示しているとき（例えば、場合によっては、無線ネットワーク性能が低下している可能性がある）、ＳＤＦを連続的に送信する代わりに、インタフェース６２０を使用して、前の１０秒および次の１０秒のＳＤＦを送信するようセンサに命令することができる。センサは必要なときにのみデータをストリーミングするため、これにより送信帯域幅が節約される。さらに、インタフェース６２０は、無線ネットワークからのデータ・ストリームを制御するために使用されてもよい。
【００４３】
一実施形態によれば、ＤＦＡ（またはＤＦＡアルゴリズム）５２０は、３つの機能または構成要素の例を含むことができ、これらの例には、以下を含む。
１）関連機能６２２が、ＳＤＦおよびＲＩデータの関連づけを実行することができる。単純な実施形態では、ＤＦＡ５２０（例えば、関連づけ６２２）は、特定の時間ウィンドウ内に到着するデータサンプル（センサ・データサンプルおよび無線ネットワーク情報データサンプルを関連づける）を関連づけることができる。したがって、データ関連は、センサ・データサンプルとＲＩサンプルの時間関係に基づいてＤＦＡ５２０によって実行されてもよく、例えば、時間閾値内に到着するか、またはタイムスタンプを有する。このような実装は、データの送達が過度のレイテンシを持たないことが保証できる限り、十分である。ＳＤＦとＲＩの関連間でより正確な同期（ミリ秒レベルなど）を実現するには、別の解決策が必要になる場合がある。単純な例は、ＳＤＦとＲＩインタフェースプロトコルにＧＰＳタイムスタンプを追加することである。ＧＰＳがない場合、同期イーサネット（登録商標）のように、何らかの外部同期方式を利用することができる。
２）ＤＦＡ５２０のメモリ６２４は、ＡＳＲＩデータサンプルを格納することができる。したがって、ＤＦＡメモリ６２４は、Ｎ個の最新のＡＳＲＩサンプルを格納するためのメモリを含んでもよい。サンプリングの履歴は、データ関連をトリガしたイベントの前に情報を得るために、ＤＦＡ５２０によって使用されてもよい。
３）ＤＦＡ５２０のルール＆プログラム６２６は、自分のＤＦＡインスタンス５２０の内部で関連付けをトリガするための、または制御インタフェース６２０を介して別のＤＦＡインスタンスで関連付けをトリガするための、一連のルール、またはプログラムを含んでもよい。ルールおよびプログラム６２６は、メモリに格納されるＡＳＲＩサンプルと、どのサンプルがＤＭ５２４に送信されるかを指定することもできる。ルールは、構成インタフェース６１８を介して、構成または別個のプログラムをダウンロードすることができる。ルールには、関連付けられたデータを受信するさまざまな宛先の個別のルールを含めることができる。たとえば、１つの宛先は１つのルールで指定されたフィルタリングされたデータを受信し、もう１つの宛先はフィルタリングされずに生データを受信する。明らかに、これは個別のＤＦＡインスタンスでも実現できる。
【００４４】
［データ管理］
図７は、実施例に係るデータ管理エンティティの図である。ＤＭ（Ｄａｔａ  Ｍａｎａｇｅｍｅｎｔ）の役割には、たとえば、ＡＳＲＩの受信、ＡＳＲＩのメモリ、受信したＡＳＲＩの転送などがある。ＡＳＲＩをメモリから取得し、オンデマンドで指定された宛先に送信する。ＤＭインタフェース７１６は、ＤＭ５２４との間でＡＳＲＩデータを転送するためのインタフェースプロトコルを定義する。データストレージ７１２は、ＡＳＲＩを、例えばデータベース内に格納する論理エンティティである。プログラム部７１４は、構成インタフェースによって指定され、どのＡＳＲＩサンプルが格納され、どのＡＳＲＩサンプルが転送されるかを決定する（例えば、ソースＡからのデータは、ソースＢからのデータが事前定義された宛先に転送される間に、データを最初に格納することの有無に関わらず、格納されるように構成することができる）。データ転送７１８は、どのデータサンプルが転送されるかを決定することができる。構成インタフェース７２０は、ＤＭ５２４を構成するためのプロトコルを定義する。構成は、例えば、特定のソースのためのデータ転送規則を含むことができる。制御インタフェース７２２は、データまたは情報をメモリから取り出すためのプロトコルを定義する。
【００４５】
図８は、ユーザ機器（ＵＥ）を備えたロボット８１０と、ＵＥに対する無線ネットワーク性能に影響を与える動的または動的ブロックオブジェクト８１２とを示す図であり、図９は、エラーの前、エラーの間、および、エラーの後の期間の無線ネットワーク情報（ＲＩ）を示す図である。図８に示すように、工場内の動的オブジェクト８１２は、ロボット−ＵＥ  ８１０とＢＴＳ１  ４１２との間の信号をランダムにブロックする。オブジェクト８１２が無線信号を遮断しているとき、ＳＩＮＲは閾値を下回り、これはエラーとみなされ得る（図９）。ＤＦＡインスタンス５２０は、ブロッケージによって引き起こされたエラー・イベント（例えば、ＳＩＮＲが閾値９１４、図９を下回るときを含むモニタＳＩＮＲ）をモニタするように構成される。センサデータフィード５１６は、ＢＴＳ１に取り付けられたカメラによって提供されるビデオ画像である。ＲＩ（無線ネットワーク情報）（例えば、ＳＩＮＲ）がエラーを示すとき（例えば、ＳＩＮＲが閾値９１４、図９を下回るとき）、データ関連はビデオ画像（ＳＤＦ）とＳＩＮＲ（ＲＩ）との間でトリガされる。エラー／事象（９２０）の前のデータ（ＡＳＲＩ）はＤＦＡメモリからフェッチされ、（９２２）エラー中のデータ（ＡＳＲＩサンプル）と、エラー事象後のデータ（ＡＳＲＩサンプル）（９２４）で転送される。ＡＳＲＩサンプルを送信する前に、サンプリングには、どのイベントが関連をトリガしたか、およびエラーの状態（プレ・エラー／ポスト・エラー）を示すラベルが付けられる。データ関連は、事前に設定されたルールに従って終了する。この場合、エラーが終了してから何らかの時間間隔が経過したことになる。このデータは、検出された３つのエラーからのデータのバーストとして図９で視覚化されるＤＭ５２４のために転送される。図９に示すように、データサンプルは、エラー（９２０）の前、エラー（９２２）の間、およびエラー（９２４）の後の期間について示されている。また、図９に示すように、ＡＳＲＩ（関連するＳＩＮＲデータおよびビデオフレーム）は、次のようにフィルタリングされ、事前（プレ）エラーＡＳＲＩ、エラー中のＡＳＲＩ、およびＡＳＲＩ事後（ポスト）エラーとして提供される。この例におけるエラーという用語は、信号（例えば、ＳＩＮＲ）が特定の閾値を超えたことを示し、例えば、ＳＩＮＲが閾値９１４を下回ったことを示すことに注意されたい。
【００４６】
データ関連およびラベル表示については、さらに図９および図１０を用いて実証する。図１１は、異なるビデオフレームに関連する、エラー前、エラーおよびエラー後時間のために転送または受信されるデータを示す図である。図９に示すように、ＳＩＮＲが閾値９１４を下回るとエラー・イベントが発生する。注記したように、これは、動的ブロックオブジェクト８１２が特定の位置または位置の範囲内にある場合に発生する可能性がある。図１０は、プレ・エラー位置１０１０内の動的ブロックオブジェクト８１２のビデオのビデオフレーム（例えば、エラー状態の前のオブジェクト８１２のビデオフレーム）、エラー１０１２中の、ビデオフレーム（例えば、ＵＥのＳＩＮＲが閾値９１４未満のとき、またはエラー状態の間のオブジェクト８１２のビデオフレーム）、および、エラー状態１０１４の後のビデオフレーム（エラー状態の後のオブジェクト８１２のビデオフレーム）を示す。したがって、１０１０のビデオフレームは、エラー状態の前に動的オブジェクト８１２が近づいていることを示し、１０１２のビデオフレームは、エラーの間に動的オブジェクト８１２がＵＥの前にあることを示し、１０１４のビデオフレームは、エラーの後にオブジェクト８１２が遠ざかっていることを示す。この例では、ブロックされたことによって引き起こされるエラー・イベントは、ＳＩＮＲおよびビデオフレームと同様の挙動を示す。これは、エラーの前後の典型的なビデオフレームと、ビデオ画像に基づいて整列されたＳＩＮＲ曲線を示す図１１で示されている。この図は、このタイプのデータを格納すると、信号の遮断によって発生したエラーの根本原因に関連する可能性がある情報が格納されることを示している。
【００４７】
デプロイメントにはいくつかの異なるオプションがある。オプションは、センサ、ＤＦＡ−アルゴリズムインスタンス、ＤＭインスタンスの物理的または論理的な場所によって記述できる。上記の各々は、ＲＮの不可分および／または外部部分とすることができる。つまり、デプロイメント・オプションの数は非常に大きく、例として、ここではデプロイメントの例をいくつか示している。
【００４８】
図１２は、ＤＦＡ−アルゴリズム５２０がＭＥＣ（Ｍｕｌｔｉ−Ａｃｃｅｓｓ  Ｅｄｇｅ  Ｃｌｏｕｄ）サーバ内にある配置オプションを示す図である。ＲＩとＳＤＦはＤＦＡインスタンスに対して継続的にフィードされる。図１３は、ＤＦＡインスタンス５２０によって要求されたときに、ＳＤＦを転送するＳＤＦアグリゲーション機能１３１０にセンサデータが集約されるという差を除いて、図１２と同様の配置を示す図である。このアプローチは、図１２の例と比較して、少なくとも２つの利点を示す。センサは、ＳＤＦインタフェースを実装する必要はなく、ＳＤＦアグリゲーション機能１３１０は、ＳＤＦインタフェース１３１２を介してＳＤＦを転送することができる。制御インタフェース１３１４は、送信帯域幅を節約するためにＳＤＦからのデータ量を減らすために使用することができる。これは、データが関連のために必要とされるとき、ＤＦＡ−アルゴリズム５２０によって制御メッセージを送ることによって行うことができる。
【００４９】
図１４は、センサおよびＤＦＡ−アルゴリズムインスタンス５２０が無線ネットワーク（ＲＮ）４１２の内部にある展開オプションを示す図である。センサデータフィード５１６およびＲＩデータサンプル５１８が示されている。例えば、カメラ（例えば、センサ）は、基地局（ＢＳ、ＲＮ  ４１２内）に統合することができ、各基地局は、ＲＮ外のＤＭ５２４にＡＳＲＩデータ５２２を転送するＤＦＡ−アルゴリズム・ンスタンス５２０を有することができる。このアプローチの利点は、センサデータと無線ネットワーク情報との関連付けにおける厳密な同期の可能性、および基地局またはＲＮ内の機密情報へのアクセスを含み得る。
【００５０】
利点の例：１つ以上の実施例の多数の利点、または、例えば、１つ以上の実施例によって実施される技術が存在する。
【００５１】
例えば、関連するＲＩおよびＳＤＦを提供することは、ＲＮパフォーマンスを向上させるために実行される可能性のある１つ以上のアクション（またはエラーを防止するために使用される可能性のあるアクション）、またはＲＮパフォーマンスを向上させるためにトリガされる可能性のあるアクションを決定するために使用できる。これらのアクションは、ＲＮアクション（例えば、送信電力の増加、ＵＥのハンドオーバの実行、ＵＥのよりロバストなＭＣＳへのスイッチング、．．．）、または物理環境に関連するアクション、例えば、ブロックするオブジェクトの移動または移動のタイミングの変更、ブロックするオブジェクトの位置または向きの変更、または物理環境の他のステータスの変化を含むことができる。例えば、図２に関して、前に受信したＡＳＲＩデータに基づいて、ブロックオブジェクト２１８が１５０ｍの座標に達し、左から右に移動するとき、これは、ブロックオブジェクトが約３５０ｍの位置に達するまで最後になるエラー状態と相関することが観測された。したがって、後続のＡＳＲＩに基づいて、システムは、ブロックオブジェクトが１４０ｍに達したときにＢＴＳ１からＢＴＳ２へのＵＥのハンドオーバを実行するか、またはブロックオブジェクトが１５０ｍに達したときに送信電力を増加するなどのＲＮ対応を実行することができる。
【００５２】
ＲＩとセンサデータの関連付けは、ネットワーク・パフォーマンスに影響を与える環境内の事象に関する追加情報をキャプチャする。さらに、イベントの前後にデータにラベルを付けて保存することによって、これらのイベントに導く情報が保存され、ライブデータフィードに基づいてこれらのイベントを予測できるモデルをトレーニングするために使用できる。
【００５３】
例えば、関連するビデオストリームは、突然の無線リンク劣化の理由が、（図２に図示されるように）無線信号をブロックするオブジェクトであることを明らかにするか、または、ボタンの関連する押下が、ドアを開くことが、（図３に図示されるように）屋外基地局からの建物のある区域内に著しい干渉を導入することを明らかにする。
【００５４】
一実施形態では、屋内から屋外への分離は、信頼性レベルに重大な影響を与える可能性がある。例えば、場合によっては、工場出荷時のドアを開けることは、１０〜２０デシベルの単離縮小（ｉｓｏｌａｔｉｏｎ  ｒｅｄｅｃｔｉｏｎ）と等価であり得る。
【００５５】
しかしながら、実施例および技術は与えられた実施例に限定されないことに留意することが重要である。実施例と技術は、時空間的な変化が無線ネットワークのパフォーマンスに影響を与えるようなユースケースに適用できる。例えば、以下のようなものがある。物流オートメーション：センサは、物流センターや港内のコンテナの移動を追跡し、無線接続に大きな影響を与える可能性がある。コネクテッド・ホスピタル：ＭＲＩや外科にドアを開けると、干渉が発生する可能性がある（これらのタイプの部屋は通常、無線電波から隔離される）。無線接続性を持つエレベータ：センサは、接続性の品質に関連するエレベータシャフトのエレベータの状態を追跡する可能性がある。自動車／列車内の接続カー／列車またはｅＭＢＢユーザ：センサデータは、車両／列車が５Ｇネットワークカバレッジ領域に近づいていることを示す可能性がある。
【００５６】
これにより、次のような以前のソリューションよりも、次のような、いくつかの利点がある。
【００５７】
［パフォーマンスの向上］
付加情報（関連センサデータまたはＡＳＲＩ）は、改良された新しいタイプの無線ネットワーク性能最適化を可能にし、例えば、新しいＵＲＬＬＣユースケースの支持を可能にする無線リンクのより高い信頼性をもたらす。
【００５８】
［ネットワーク管理・最適化コスト（ＯＰＥＸ）の低減］
本明細書に記載する実施例の技術は、望ましくない無線ネットワーク挙動の根本原因、例えば、エラーの原因の検出（例えば、閾値に対して測定されるような無線ネットワーク性能の低下）を自動的に検出することを可能にすることができる。また、各種実施形態または技術は、無線ネットワークの性能に影響を与える物理環境の変化の継続的な検出を可能にし、そうでなければ経済的に実現可能ではない連続的な最適化を実行することができる。
【００５９】
［配備コストの低減（ＣＡＰＥＸ）］
本明細書に記載する実施例の技術は、同等の性能のために要求されないＢＴＳ／ＢＳに変換する低いエラーマージン（例えば、低い干渉およびフェージングマージン）の使用を可能にし、従って、低いＣＡＰＥＸを可能にすることができる。
【００６０】
ここで、いくつかの実施例を説明する。
【００６１】
例１．図１５は、実施例に係るシステムの動作を示すフローチャートである。動作１５１０は、１つ以上のセンサから、センサ・データサンプルを受信することを含む。動作１５２０は、無線ネットワークに関連する無線ネットワーク情報データサンプルを受信することを含む。動作１５３０は、受信された１つ以上のセンサ・データサンプルと受信された無線ネットワーク情報データサンプルの１つ以上のとの関連に基づいて、１つ以上の関連するセンサおよび無線ネットワーク情報データサンプルを決定することを含む。動作１５４０は、無線ネットワークの性能に関連する１つ以上の関連センサおよび無線ネットワーク情報データサンプルの少なくとも一部を選択することを含む。動作１５５０は、その後の使用のために、選択された関連センサおよび無線ネットワーク情報データサンプルを転送することを含む。
【００６２】
例２．実施例１の方法の実施例によれば、センサ・データサンプルは、物理環境に関連する時空間センサ・データサンプルを含む。
【００６３】
例３．実施例１〜２のいずれかの方法の実施例によれば、転送は、選択された関連センサおよび無線ネットワーク情報データサンプルを格納することと、処理のために選択された関連センサおよび無線ネットワーク情報データサンプルを転送することと、のうちの少なくとも１つを含む。
【００６４】
例４．実施例１〜３のいずれかに記載の方法の実施例によれば、さらに、選択された関連するセンサおよび無線ネットワーク情報データサンプルに基づいて、無線ネットワークの性能を改善するための少なくとも１つの動作を実行するステップを含む。
【００６５】
例５．実施例１〜４のいずれかの実施例によれば、前記少なくとも１つの動作を実行することは、１つ以上の無線ネットワーク動作、１つ以上の自動無線ネットワーク動作、ネットワーク自己最適化アルゴリズムによってトリガされる１つ以上の自動無線ネットワーク動作、および、無線ネットワークの性能を改善するために物理環境のオブジェクトまたは態様が変更される１つ以上の非無線ネットワーク動作、のうちの少なくとも１つを実行することを含む。
【００６６】
例６．実施例１〜５のいずれかの実施例によれば、１つ以上のセンサから、センサ・データサンプルを受信するステップは、物理環境のオブジェクトまたは部分を制御するボタン、スイッチ、またはコントローラと、オブジェクトの位置、位置、向き、または動きを制御するボタン、スイッチ、またはコントローラと、オブジェクトの状況または状態を制御するボタン、スイッチ、またはコントローラと、物理環境のオブジェクトまたは部分の画像またはビデオフィードをキャプチャするカメラと、物理環境のオブジェクトまたは部分の状況または状態を検出するセンサと、のうちの１つ以上に関連するセンサ・データサンプルを受信するステップを含む。
【００６７】
例７．実施例１〜６のいずれかの方法の実施例によれば、物理環境のオブジェクトまたは部分の状況または状態を検出するセンサに関連するセンサ・データサンプルを受信するステップは、物理環境のオブジェクトまたは部分の検出、レンジング、方位または位置決定を実行するレーダまたはＬｉＤＡＲからセンサ・データサンプルを受信するステップを含む。
【００６８】
例８．実施例１〜７のいずれかの実施例に係る方法の実施例によれば、無線ネットワークに関連する無線ネットワーク情報を受信するステップは、無線ネットワークのための無線ネットワークキー性能指標と、無線ネットワーク動作に関連する情報と、無線ネットワーク構成パラメータとのうちの少なくとも１つを受信するステップを含む。
【００６９】
例９．実施例１〜８のいずれかの実施例によれば、無線ネットワークキーパフォーマンスインジケータは、受信信号強度、総受信電力、受信干渉電力、および干渉信号とノイズ比（ＳＩＮＲ）、経路損失、基準信号受信電力、基準信号受信品質、受信信号強度インジケータ、信頼性、ブロック・エラーレート、レイテンシ、ジッタ、カバレッジ、キャパシティ、データ転送レート、ランクインジケータ、変調および符号化スキームインジケータ、チャネル状態情報、およびタイミングアドバンスのうちの少なくとも１つを含む。
【００７０】
例１０．実施例１〜９のいずれかの方法の実施例によれば、無線ネットワークのための無線ネットワーク構成パラメータは、基地局またはユーザデバイスの識別子、構成、または座標の少なくとも１つを含む。
【００７１】
例１１．実施例１〜１０のいずれかの実施例によれば、無線ネットワーク動作に関連する情報は、ターゲット基地局へのユーザデバイスのハンドオーバ、２つ以上の基地局間のトラフィックまたはデータのロードバランシング、基地局とユーザデバイスとの間の無線リンクのためのリンク適応、ユーザデバイスによって実行されるセル選択またはセル再選択、スケジューリング、リソース割り当て、送信電力制御、およびタイミングアドバンス調整のうちの少なくとも１つに関連する情報を含む。
【００７２】
例１２．実施例１〜１１のいずれかの実施形態の一例に従って、１つ以上の関連センサおよび無線ネットワーク情報データサンプルを決定するステップは、１つ以上の無線ネットワーク情報データサンプルの時間ウィンドウ内にある１つ以上のセンサ・データサンプルの時間に基づいて、１つ以上の関連センサおよび無線ネットワーク情報データサンプルを決定するステップを含む。
【００７３】
例１３．実施例１〜１２のいずれかの実施形態の一例によれば、１つ以上の関連センサおよび無線ネットワーク情報データサンプルを決定するステップは、第１センサが、少なくとも第１の通信要素と対になっているか、または関連することを決定するステップと、少なくとも第１の通信要素に関連する１つ以上の無線ネットワーク情報データサンプルの時間ウィンドウ内にある第１センサからの１つ以上のセンサ・データサンプルの時間に基づいて、１つ以上の関連センサおよび無線ネットワーク情報データサンプルを決定するステップと、を含む。
【００７４】
例１４．実施例１〜１３のいずれかの方法の実施例によれば、第１の通信要素は、コンピュータまたはサーバと、基地局、ユーザデバイス、コアネットワーク要素、または他の無線ネットワーク要素のうちの少なくとも１つを含む、無線ネットワークに関連付けられた無線ネットワーク要素とのうちの少なくとも１つを含む。
【００７５】
例１５．実施例１〜１４のいずれかの実施例によれば、無線ネットワークの性能に関連する１つ以上の関連センサおよび無線ネットワーク情報データサンプルの少なくとも一部を選択するステップは、無線ネットワークの性能の変化の前に発生またはサンプリングされる１つ以上の関連センサおよび無線ネットワーク情報データサンプルの少なくとも一部を選択するステップと、無線ネットワークの性能の変化の間に発生またはサンプリングされる１つ以上の関連センサおよび無線ネットワーク情報データサンプルの少なくとも一部を選択するステップと、無線ネットワークの性能の変化の後に出現または試行される１つ以上の関連センサおよび無線ネットワーク情報データサンプルの少なくとも一部を選択するステップと、のうちの少なくとも１つ以上を含む。
【００７６】
例１６．実施例１〜１５のいずれかの実施例の実施例によれば、無線ネットワークの性能に関連する１つ以上の関連センサおよび無線ネットワーク情報データサンプルの少なくとも一部を選択するステップは、無線ネットワークの性能の低下の前に発生またはサンプリングされる１つ以上の関連センサおよび無線ネットワーク情報データサンプルの少なくとも一部を選択するステップと、無線ネットワークの性能の低下の間に発生またはサンプリングされる１つ以上の関連センサおよび無線ネットワーク情報データサンプルの少なくとも一部を選択するステップと、無線ネットワークの性能の低下の後に発生またはサンプリングされる１つ以上の関連センサおよび無線ネットワーク情報データサンプルの少なくとも一部を選択するステップと、のうちの少なくとも一部を含む。
【００７７】
例１７．実施例１〜１６のいずれかの方法の実施例に従って、無線ネットワークの性能に関連する、選択された関連センサおよび無線ネットワーク情報データサンプルの選択理由をラベリングするステップをさらに含む。
【００７８】
例１８．実施例１〜１７のいずれかの方法を実行する手段を含む装置。
【００７９】
例１９．少なくとも１つのプロセッサによって実行されるとき、実施例１〜１７のいずれかの方法をコンピュータシステムに実行させるように構成される格納された命令を含む、非一時的コンピュータ読み取り可能格納媒体。
【００８０】
例２０．少なくとも１つのプロセッサと、コンピュータ命令を含む少なくとも１つのメモリとを備えた装置であって、前記少なくとも１つのプロセッサによって実行されるとき、前記装置に実施例１〜１７のいずれかの方法を実行させる、装置。
【００８１】
例２１．少なくとも１つのプロセッサと、コンピュータ命令を含む少なくとも１つのメモリとを備え、少なくとも１つのプロセッサによって実行されると、装置は、１つ以上のセンサ、センサ・データサンプルを受信するステップと、無線ネットワークに関連する無線ネットワーク情報データサンプルを受信するステップと、１つ以上の受信センサ・データサンプルと、受信した無線ネットワーク情報データサンプルの１つ以上の関連付けに基づいて、１つ以上の関連センサおよび無線ネットワーク情報データサンプルを決定するステップと、無線ネットワークのパフォーマンスに関連する１つ以上の関連センサおよび無線ネットワーク情報データサンプルの少なくとも一部を選択するステップと、後続の使用のために、選択された関連センサおよび無線ネットワーク情報データサンプルを転送するステップと、を含む装置。
【００８２】
例２２．前記センサ・データサンプルは、物理環境に関連する時空間センサ・データサンプルを含む、実施例２１に記載の装置。
【００８３】
例２３．前記装置に転送させるステップは、前記選択された関連付けられたセンサおよび無線ネットワーク情報データサンプルを格納させるステップと、前記選択された関連付けられたセンサおよび無線ネットワーク情報データサンプルを処理のために転送するステップと、のうちの少なくとも１つを含む、例２１〜２２のいずれかに記載の装置。
【００８４】
例２４．実施例２１〜２３のいずれかの装置であって、さらに、選択された関連センサおよび無線ネットワーク情報データサンプルに基づいて、無線ネットワークの性能を改善するための少なくとも１つの動作を装置に実行させる装置。
【００８５】
例２５．前記装置に少なくとも１つのアクションを実行させることは、前記装置に、１つ以上の無線ネットワークアクション、１つ以上の自動無線ネットワークアクション、ネットワーク自己最適化アルゴリズムによってトリガされる１つ以上の自動無線ネットワークアクション、無線ネットワークのパフォーマンスを向上させるためにオブジェクトまたは物理環境の態様が変更される１つ以上の非無線ネットワークアクションのうちの少なくとも１つを実行させることを含む、例２４に記載の装置。
【００８６】
例２６．前記装置に、１つ以上のセンサからセンサ・データサンプルを受信させるステップは、前記装置に、前記物理環境のオブジェクトまたは部分を制御するボタン、スイッチ、またはコントローラと、オブジェクトの位置、位置、方向、または移動を制御するボタン、スイッチ、またはコントローラと、オブジェクトのステータスまたは状態を制御するボタン、スイッチ、またはコントローラと、物理環境のオブジェクトまたは部分の画像またはビデオフィードをキャプチャするカメラと、物理環境のオブジェクトまたは部分のステータスまたは状態を検出するセンサと、のうちの１つ以上に関連するセンサ・データサンプルを受信させるステップを含む、実施例２１〜２５のいずれかに記載の装置。
【００８７】
例２７．前記装置に、オブジェクトまたは物理環境の一部の状態または状態を検出するセンサに関連付けられたセンサ・データサンプルを受信させるステップは、前記装置に、前記オブジェクトまたは前記物理環境の一部の検出、測距、方位または位置決定を行うレーダまたはＬｉＤＡＲから前記センサ・データサンプルを受信させるステップを含む、例２６に記載の装置。
【００８８】
例２８．前記装置に無線ネットワークに関連する無線ネットワーク情報を受信させることは、前記装置に、前記無線ネットワークの無線ネットワークキーパフォーマンスインジケータ、無線ネットワーク動作に関連する情報、および無線ネットワーク構成パラメータのうちの少なくとも１つを受信させることを含む、実施例２１〜２７のいずれかに記載の装置。
【００８９】
例２９．前記無線ネットワークキー性能インジケータは、受信信号強度、総受信電力、受信干渉電力、および干渉対ノイズ比（ＳＩＮＲ）、経路損失、基準信号受信電力、基準信号受信品質、受信信号強度インジケータ、信頼性、ブロック・エラー率、レイテンシ、ジッタ、カバレッジ、キャパシティ、データ転送速度、ランクインジケータ、変調および符号化方式インジケータ、チャネル状態情報、およびタイミングアドバンスのうちの少なくとも１つを含む、例２８に記載の装置。
【００９０】
例３０．前記無線ネットワークのための前記無線ネットワーク構成パラメータは、基地局またはユーザデバイスの識別子、構成、または座標のうちのの少なくとも１つを含む、実施例２８〜２９のいずれかに記載の装置。
【００９１】
例３１．無線ネットワーク対応に関連する情報は、ターゲット基地局へのユーザデバイスのハンドオーバ、２つ以上の基地局間のトラフィックまたはデータのロードバランシング、基地局とユーザデバイスとの間の無線リンクのためのリンク適応、ユーザデバイスによって実行されるセル選択またはセル再選択、スケジューリング、リソース割り当て、送信電力制御、およびタイミングアドバンス調整のうちの少なくとも１つに関連する情報を含む、実施例２８から３０のいずれかの装置。
【００９２】
例３２．前記装置に１つ以上の関連するセンサおよび無線ネットワーク情報データサンプルを決定させるステップは、前記装置に、１つ以上のセンサ・データサンプルの時間に基づいて、１つ以上の無線ネットワーク情報データサンプル、１つ以上の関連するセンサおよび無線ネットワーク情報データサンプルの時間データフィード内にあることを決定させることを含む、実施例２１ないし３１のいずれかに記載の装置。
【００９３】
例３３．前記装置に、１つ以上の関連センサおよび無線ネットワーク情報データサンプルを決定させることは、前記装置に、第１のセンサが、少なくとも第１の通信要素とペアリングされているか、または関連付けられていることを判断させることと、少なくとも第１の通信要素に関連する１つ以上の無線ネットワーク情報データサンプルの時間ウィンドウ内にある第１のセンサからの１つ以上のセンサ・データサンプルの時間に基づいて、１つ以上の関連センサおよび無線ネットワーク情報データサンプルを決定させることとを含む、実施例２１〜３２のいずれかに記載の装置。
【００９４】
例３４．前記第１の通信要素は、コンピュータまたはサーバと、基地局、ユーザデバイス、コアネットワーク要素、または他の無線ネットワーク要素のうちの少なくとも１つを含む、前記無線ネットワークに関連する無線ネットワークと、のうちの少なくとも１つを含む、実施例３３に記載の装置。
【００９５】
例３５．前記装置に、前記無線ネットワークの性能に関連する１つ以上の関連センサおよび無線ネットワーク情報データサンプルの少なくとも一部を選択させることは、前記装置に、前記無線ネットワークの性能の変化の前に発生するか、またはサンプリングされる１つ以上の関連センサおよび無線ネットワーク情報データサンプルの少なくとも一部を選択させることと、前記無線ネットワークの性能の変化の間に発生するか、またはサンプリングされる１つ以上の関連センサおよび無線ネットワーク情報データサンプルの少なくとも一部を選択させることと、前記無線ネットワークの性能の変化の後に発生するか、またはサンプリングされる１つ以上の関連センサおよび無線ネットワーク情報データサンプルの少なくとも一部を選択させることと、のうちの少なくとも一部を選択させることを含む、実施例２１〜３４のいずれかの装置。
【００９６】
例３６．前記装置に、前記無線ネットワークの性能に関連する１つ以上の関連センサおよび無線ネットワーク情報データサンプルの少なくとも一部を選択させることは、前記装置に、前記無線ネットワークの性能の低下の前に発生する、またはサンプリングされる１つ以上の関連センサおよび無線ネットワーク情報データサンプルの少なくとも一部を選択させることと、前記無線ネットワークの性能の低下の間に発生またはサンプリングされる１つ以上の関連センサおよび無線ネットワーク情報データサンプルの少なくとも一部を選択させることと、前記無線ネットワークの性能の低下の後に発生またはサンプリングされる１つ以上の関連センサおよび無線ネットワーク情報データサンプルの少なくとも一部を選択させることと、のうちの少なくとも１つを実行させることを含む、実施例２１〜３５のいずれかの装置。
【００９７】
例３７．さらに、装置に、無線ネットワークの性能に関連する、選択された関連センサおよび無線ネットワーク情報データサンプルの選択理由をラベル付けさせる、実施例２１〜３６のいずれか１例に記載の方法。
【００９８】
図１６は、実施例に係る無線ステーション（例えば、ＡＰ、ＢＳまたはユーザデバイス、または他のネットワークノード）１６００のブロック図である。無線局１６００は、例えば、１つまたは２つのＲＦ（無線周波数）または無線トランシーバ１６０２Ａ、１６０２Ｂを含むことができ、ここで、各無線トランシーバは、信号を送信するための送信機と、信号を受信するための受信機とを含む。また、無線局は、命令またはソフトウェアを実行し、信号の送受信を制御するプロセッサまたは制御ユニット／エンティティ（コントローラ）１６０４と、データおよび／または命令を格納するメモリ１６０６とを含む。
【００９９】
プロセッサ１６０４はまた、判定または判定を行い、フレームを生成し、伝達のためのパケットまたはメッセージを生成し、さらなる処理のために受信フレームまたはメッセージを復号し、本明細書に記載する他のタスクまたは機能を実行することができる。例えば、ベースバンドプロセッサ１６０４は、ワイヤレス・トランシーバ１６０２（１６０２Ａまたは１６０２Ｂ）を介して伝達するためのメッセージ、パッケット、フレーム、または、その他の信号を生成することができる。プロセッサ１６０４は、無線ネットワークを介した信号またはメッセージの伝達を制御することができ、無線ネットワークを介して（例えば、無線トランシーバ１６０２によってダウンコンバートされた後に）信号またはメッセージなどの受信を制御することができる。プロセッサ１６０４は、プログラム可能であり、メモリまたは他のコンピュータ媒体に格納されたソフトウェアまたは他の命令を実行して、上述のタスクまたは方法の１つ以上のような、上述の様々なタスクおよび機能を実行することができる。プロセッサ１６０４は、例えば、ハードウェア、プログラム可能なロジック、ソフトウェアまたはファームウェアを実行するプログラム可能なプロセッサ、および／またはこれらの任意の併用であってもよい（またはそれらを含んでもよい）。他の用語を使用して、プロセッサ１６０４とトランシーバ１６０２を共に、例えば、無線送受信システムと見なすことができる。
【０１００】
さらに、図１６を参照すると、コントローラ（またはプロセッサ）１６０８は、ソフトウェアおよび命令を実行してもよく、ステーション１６００のための全体的な制御を提供してもよく、図１６に示されていない他のシステム、たとえば、入出力デバイス（たとえば、ディスプレイ、キーパッド）を制御するような制御を提供してもよく、および／または、たとえば、電子メールプログラム、オーディオ／ビデオアプリケーション、ワードプロセッサ、Ｖｏｉｃｅ  ｏｖｅｒ  ＩＰアプリケーション、または他のアプリケーションまたはソフトウェアなど、無線ステーション１６００上に提供されてもよい１つ以上のアプリケーションのためのソフトウェアを実行することができる。
【０１０１】
加えて、コントローラまたはプロセッサによって実行されるときに、プロセッサ１６０４、または他のコントローラまたはプロセッサにより、上述の１つ以上の機能またはタスクを実行する、格納された命令を含む格納媒体が提供されてもよい。
【０１０２】
別の実施形態によれば、ＲＦまたは無線トランシーバ（ｓ）１６０２Ａ／１６０２Ｂは、信号またはデータを受信し、および／または信号またはデータを送受信することができる。プロセッサ１６０４（および場合によってはトランシーバ１６０２Ａ／１６０２Ｂ）は、ＲＦまたはワイヤレス・トランシーバ１６０２Ａまたは１６０２Ｂを制御して、信号またはデータを受信、放送または送信することができる。
【０１０３】
しかしながら、実施形態は、一例として与えられるシステムに限定されるものではないが、当業者は、その解決策を他の通信システムに適用することができる。適切な通信システムのもう１つの例は、５Ｇコンセプトである。５Ｇにおけるネットワークアーキテクチャは、ＬＴＥ‐アドバンストのものとかなり類似すると想定される。５Ｇは、多入力−多出力（ＭＩＭＯ）アンテナ、ＬＴＥ（いわゆる小セルコンセプト）よりも多くの基地局またはノードを使用する可能性が高い。これには、より小規模な局と協力して運用しているマクロサイト、おそらくはより良いカバレッジと強化されたデータレートのために多様な無線技術も採用している、などが含まれる。
【０１０４】
将来のネットワークは、おそらくネットワーク機能仮想化（ＮＦＶ）を利用するであろうことが理解されるべきである。ネットワーク機能仮想化（ＮＦＶ）は、ネットワークノード機能を「構築ブロック」に仮想化することを提案するネットワークアーキテクチャ概念であるか、あるいは、サービスを提供するために運用的に接続されているか、または互いにリンクされているかもしれないエンティティである。仮想化ネットワーク機能（ＶＮＦ）は、カスタマイズされたハードウェアの代わりに、標準または汎用タイプのサーバを使用してコンピュータ・プログラムコードを実行する１つ以上の仮想マシンを含むことができる。無線通信では、これは、少なくとも部分的に、遠隔無線ヘッドに動作的に結合されたサーバ、ホスト、またはノードにおいて、ノード操作が実行されることを意味することができる。ノード操作は、複数のサーバ、ノード、またはホストの間で分散されることも可能である。また、コアネットワーク動作と基地局動作の間の労働分散は、ＬＴＥのものとは異なるか、あるいは存在しない可能性さえあることが理解されるべきである。
【０１０５】
本明細書に記載する様々な技術の実施形態は、デジタル電子回路、またはコンピュータハードウェア、ファームウェア、ソフトウェア、またはそれらの併用で実現することができる。実施形態は、コンピュータ・プログラム製品、すなわち、情報キャリア、例えば、機械読み取り可能なメモリ内、または伝搬された信号内に実体的に具体化されるコンピュータ・プログラムとして、データ処理装置、例えば、プログラマブル・プロセッサ、コンピュータ、または複数のコンピュータの実行のために、またはその動作を制御するために実装されてもよい。実施形態は、非一時的媒体であってもよい、コンピュータ可読媒体またはコンピュータ可読格納媒体上に提供されてもよい。種々の技術の実施形態は、インターネットまたは他のネットワーク、有線ネットワークおよび／または無線ネットワークを介してダウンロード可能な、一時的な信号または媒体、および／またはプログラムおよび／またはソフトウェアの実施形態を介して提供される実施形態を含むこともできる。さらに、実施形態は、マシンタイプ通信（ＭＴＣ）を介して、およびモノのインターネット（ＩＯＴ）を介して提供されてもよい。
【０１０６】
コンピュータ・プログラムは、ソースコード形式、オブジェクトコード形式、または何らかの中間形式であってもよく、プログラムを運ぶことができる任意の実体または装置であってもよい、何らかの種類のキャリア、配布媒体、またはコンピュータ可読媒体に格納されてもよい。このようなキャリアには、例えば、記録媒体、コンピュータメモリ、読み取り専用メモリ、光電気および／または電気キャリア信号、電気通信信号、およびソフトウェア配布パッケージが含まれる。必要とされる処理キャパシティに応じて、コンピュータ・プログラムは、単一の電子デジタル・コンピュータで実行されてもよく、または多数のコンピュータに分散されてもよい。
【０１０７】
さらに、本明細書に記載する様々な技術の実施形態は、サイバー物理システム（ＣＰＳ）（物理的エンティティを制御する協調計算要素のシステム）を使用することができる。ＣＰＳは、異なる場所にある物理的なオブジェクトに埋め込まれた大量の相互接続されたＩＣＴ装置（センサ、作動器、プロセッサマイクロコントローラ、．．．）の実施形態および利用を可能にすることができる。対象の物理システムが本質的な移動性を持つ移動サイバー物理システムは、サイバー物理システムのサブカテゴリである。移動体物理システムの例としては、移動ロボットや、ヒトまたは動物によって輸送される電子機器が挙げられる。スマートフォンの人気の高まりは、モバイルサイバー物理システムの分野への関心が高まっている。したがって、本明細書に記載する技術の様々な実施形態を、これらの技術の１つ以上を介して提供することができる。
【０１０８】
上述のコンピュータ・プログラムなどのコンピュータ・プログラムは、コンパイルまたは解釈された言語を含む任意の形態のプログラミング言語で記述することができ、スタンドアロンプログラムとして、またはモジュール、コンポーネント、サブルーチン、またはコンピューティング環境での使用に適したその一部として、任意の形態で展開することができる。コンピュータ・プログラムは、１つのコンピュータ上、または１つのサイトの複数のコンピュータ上で実行されるように配備することも、複数のサイトに分散させて通信ネットワークによって相互接続することもできる。
【０１０９】
方法ステップは、入力データ上で動作し、出力を生成することによって機能を実行するために、コンピュータ・プログラムまたはコンピュータ・プログラム部分を実行する１つ以上のプログラマブル・プロセッサによって実行することができる。方法ステップはまた、ＦＰＧＡ（ｆｉｅｌｄ  ｐｒｏｇｒａｍｍａｂｌｅ  ｇａｔｅ  ａｒｒａｙ）またはＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）などの特殊目的論理回路によって実行され、装置として実装されてもよい。
【０１１０】
コンピュータ・プログラムの実行に適したプロセッサには、一例として、一般および特殊目的マイクロプロセッサの両方、および任意の種類のデジタル・コンピュータ、チップまたはチップセットの任意の１つ以上のプロセッサが含まれる。一般に、プロセッサは、読み出し専用メモリまたはランダム・アクセス・メモリ、あるいはその両方から命令およびデータを受信する。コンピュータの要素は、命令を実行するための少なくとも１つのプロセッサと、命令およびデータを格納するための１つ以上のメモリとを含み得る。一般に、コンピュータはまた、データを格納するための１つ以上の大容量メモリ、例えば、磁気、光磁気ディスク、または光ディスクから、またはこれらにデータを受信または転送するために、動作可能に結合されてもよい。コンピュータ・プログラム命令およびデータを具体化するのに適した情報キャリアは、例えば、半導体メモリデバイス、例えば、ＥＰＲＯＭ、ＥＥＰＲＯＭ、およびフラッシュメモリデバイス、磁気ディスク、例えば、内部ハードディスクまたはリムーバブルディスク、磁気光学ディスク、およびＣＤ−ＲＯＭおよびＤＶＤ−ＲＯＭディスクを含む、すべての形態の不揮発性メモリを含む。プロセッサおよびメモリは、特殊目的論理回路によって補完されてもよく、または組み込まれてもよい。
【０１１１】
ユーザとの対話を提供するために、実施形態は、ユーザに情報を表示するための表示装置、例えば、カソード線管（ＣＲＴ）または液晶ディスプレイ（ＬＣＤ）モニタリング、およびユーザがコンピュータに入力を提供することができるキーボードおよびポインティングデバイス、例えば、マウスまたはトラックボールなどのユーザインタフェースを有するコンピュータ上で実施することができる。他の種類の装置を使用して、同様にユーザとの対話を提供することができる。例えば、ユーザに提供されるフィードバックは、視覚フィードバック、聴覚フィードバック、または触覚フィードバックなどの任意の形式の感覚フィードバックとすることができ、ユーザからの入力は、音響入力、音声入力、または触覚入力を含む任意の形式で受信することができる。
【０１１２】
実施形態は、バックエンドコンポーネント、例えばデータ・サーバ、またはミドルウェアコンポーネント、例えばアプリケーション・サーバ、またはフロントエンド・コンポーネント、例えばグラフィカルユーザインタフェースを有するクライアント・コンピュータ、またはユーザが実施形態と対話することができるＷｅｂブラウザ、あるいはそのようなバックエンド、ミドルウェア、またはフロントエンド・コンポーネントの任意の併用を含むコンピューティング・システムで実現することができる。構成要素は、デジタルデータ通信の任意の形態または媒体、例えば、通信ネットワークによって相互接続されてもよい。通信ネットワークの例には、ローカルエリアネットワーク（ＬＡＮ）およびワイドエリアネットワーク（ＷＡＮ）、例えばインターネットが含まれる。
【０１１３】
ここに記載されている実施形態の特定の特徴が図示されているが、当業者には多くの修正、置換、変化、均等物が生じる。したがって、添付の請求項は、様々な態様の真の趣旨の範囲内に収まるように、そのような修正および変更のすべてをカバーすることが意図されていることが理解されるべきである。
【図１】
2021530934.tif 000003
【図２】
2021530934.tif 000004
【図３】
2021530934.tif 000005
【図４】
2021530934.tif 000006
【図５】
2021530934.tif 000007
【図６】
2021530934.tif 000008
【図７】
2021530934.tif 000009
【図８】
2021530934.tif 000010
【図９】
2021530934.tif 000011
【図１０】
2021530934.tif 000012
【図１１】
2021530934.tif 000013
【図１２】
2021530934.tif 000014
【図１３】
2021530934.tif 000015
【図１４】
2021530934.tif 000016
【図１５】
2021530934.tif 000017
【図１６】
2021530934.tif 000018
【手続補正書】
【提出日】令和3年5月26日(2021.5.26)
【手続補正１】
【補正対象書類名】特許請求の範囲
【補正対象項目名】全文
【補正方法】変更
【補正の内容】
【特許請求の範囲】
【請求項１】
第１データス・トリームを介して、１つ以上のセンサからセンサ・データサンプルを受信するステップと、
第２データス・トリームを介して、無線ネットワークに関連する無線ネットワーク情報データサンプルを受信するステップと、
１つ以上の受信されたセンサ・データサンプルを、時間ウィンドウに基づいて前記受信された無線ネットワーク情報データサンプルの１つ以上との関連付けるステップと、
前記無線ネットワークの性能における変化に関連する前記１つ以上の関連センサおよび無線ネットワーク情報データサンプルの少なくとも一部を選択するステップと、
前記選択の理由を示すために、前記選択された１つ以上の関連センサおよび無線ネットワーク情報データサンプルにラベル付けするステップと、
その後の使用のために、前記選択されレベル付けされた関連センサおよび無線ネットワーク情報データサンプルを転送するステップと、を含む方法。
【請求項２】
前記転送は、少なくとも、前記選択された関連センサおよび無線ネットワーク情報データサンプルを格納するステップと、
前記選択された関連センサおよび無線ネットワーク情報データサンプルを、処理のために転送するステップと、
のうちの１つを含む、請求項１に記載の方法。
【請求項３】
前記関連センサおよび無線ネットワーク情報データサンプルは、どのイベントが前記関連づけをトリガしたかを示すためにラベル付けされ、
前記方法は、前記イベントにつながる情報を格納するステップと、
ライブデータフィードに基づいて前記イベントを予測するモデルを訓練するために、前記イベントにつながる情報を使用するステップと、
少なくとも１つの無線ネットワーク・パラメータを予測的に最適化するステップと、
を含む、請求項１に記載の方法。
【請求項４】
前記時間ウィンドウは、前記無線ネットワーク情報データサンプルの１つ以上の閾値時間ウィンドウ内にある１つ以上のセンサ・データサンプル、１つ以上の関連するセンサおよび無線ネットワーク情報データサンプルの時間に基づいている、請求項１に記載の方法。
【請求項５】
１つ以上の関連するセンサおよび無線ネットワーク情報データサンプルを関連付ける前記ステップは、第１のセンサが、少なくとも第１の通信要素と対になっているか、または関連付けられていることを決定するステップを含み、
前記第１のセンサからの１つ以上のセンサ・データサンプルの時間に基づく前記時間ウィンドウは、少なくとも前記第１の通信要素に関連する１つ以上の前記無線ネットワーク情報データサンプルの時間ウィンドウ内に存在する、請求項１に記載の方法。
【請求項６】
前記無線ネットワークの性能に関連する、前記１つ以上の関連するセンサおよび無線ネットワーク情報データサンプルのうちの少なくとも一部を選択する前記ステップは、
前記無線ネットワークの性能の変化の前に発生するか、またはサンプリングされる前記１つ以上の関連するセンサおよび無線ネットワーク情報データサンプルの少なくとも一部を選択するステップと、
前記無線ネットワークの性能の変化の間に発生するか、またはサンプリングされる前記１つ以上の関連センサおよび無線ネットワーク情報データサンプルの少なくとも一部を選択するステップと、
前記無線ネットワークの性能の変化の後に発生するかまたはサンプリングされる１つ以上の関連センサおよび無線ネットワーク情報データサンプルの少なくとも一部を選択するステップと、
のうちの少なくとも１つを含む、請求項１に記載の方法。
【請求項７】
前記無線ネットワークの性能に関連する、前記１つ以上の関連するセンサおよび無線ネットワーク情報データサンプルのうちの少なくとも一部を選択する前記ステップは、
前記無線ネットワークの性能の低下の前に発生するかまたはサンプリングされる前記１つ以上の関連するセンサおよび無線ネットワーク情報データサンプルの少なくとも一部を選択するステップと、
前記無線ネットワークの性能の低下の間に発生する、またはサンプリングされる前記１つ以上の関連センサおよび無線ネットワーク情報データサンプルの少なくとも一部を選択するステップと、
前記無線ネットワークの性能の低下後に発生する、またはサンプリングされる前記１つ以上の関連センサおよび無線ネットワーク情報データサンプルの少なくとも一部を選択するステップと、
のうちの少なくとも１つを含む、請求項１に記載の方法。
【請求項８】
少なくとも１つのプロセッサと、コンピュータ命令を含む少なくとも１つのメモリと、を備える装置であって、
該コンピュータ命令は、前記少なくとも１つのプロセッサにより実行されたとき、前記装置に、
第１データス・トリームを介して、センサ・データサンプルを１つ以上のセンサから受信させ、
第２データス・トリームを介して、無線ネットワークに関連する無線ネットワーク情報データサンプルを受信させ、
１つ以上の受信されたセンサ・データサンプルを、時間ウィンドウに基づいて前記受信された無線ネットワーク情報データサンプルの１つ以上と関連付け、
無線ネットワークの性能における変化に関連する前記１つ以上の関連センサおよび無線ネットワーク情報データサンプルの少なくとも一部を選択させ、
前記選択された1つ以上の関連センサおよび無線ネットワーク情報データサンプルに、前記選択の理由を標示するためにラベル付けさせ、
その後の使用のために、前記選択されラベル付けされた関連センサおよび無線ネットワーク情報データサンプルを転送させる、
装置。
【請求項９】
前記装置に転送させることは、
前記選択された関連センサおよび無線ネットワーク情報データサンプルを格納することと、
処理のために前記選択された関連センサおよび無線ネットワーク情報データサンプルを転送ことと、
のうちの少なくとも１つを実行させることを含む、
請求項８に記載の装置。
【請求項１０】
前記関連センサおよび無線ネットワーク情報データサンプルは、どのイベントが前記関連づけをトリガしたかを示すためにラベル付けされており、
前記コンピュータ命令は、さらに、前記装置に、
前記イベントにつながる情報を格納させ、
ライブデータフィードに基づいて前記イベントを予測するモデルを訓練するために、前記イベントにつながる情報を使用させ、
少なくとも1つの無線ネットワーク・パラメータを予測的に最適化させる、
請求項８に記載の装置。
【請求項１１】
前記装置に少なくとも１つのアクションを実行させることは、前記装置に、
１つ以上の無線ネットワーク動作、
１つ以上の自動無線ネットワーク動作、
ネットワーク自己最適化アルゴリズムによってトリガされる１つ以上の自動無線ネットワーク動作、
前記無線ネットワークのパフォーマンスを向上させるために、オブジェクトまたは物理環境の態様が変更される１つ以上の非無線ネットワーク動作、
の少なくとも１つを実行させることを含む、請求項１０に記載の装置。
【請求項１２】
物理環境のオブジェクトまたは部分の状況または状態を検出するセンサに関連するセンサ・データサンプルを前記装置に受信させることは、前記装置に、前記物理環境のオブジェクトまたは部分の検出、測位、方位、または位置の決定を実行するレーダーまたはＬｉＤＡＲから前記センサ・データサンプルを受信させることを含む、請求項８に記載の装置。
【請求項１３】
前記装置に無線ネットワークに関連する無線ネットワーク情報を受信させるステップは、前記装置に、
前記無線ネットワークのための無線ネットワーク鍵性能指標と、
無線ネットワーク動作に関連する情報と、
無線ネットワーク構成パラメータと、
のうちの少なくとも１つを受信させることを含む、請求項８に記載の装置。
【請求項１４】
前記無線ネットワークのための前記無線ネットワーク構成パラメータは、基地局またはユーザデバイスの識別子、構成、または座標のうちの少なくとも１つを含む、請求項１３に記載の装置。
【請求項１５】
無線ネットワーク動作に関連する前記情報が、ターゲット基地局へのユーザデバイスのハンドオーバ、２つ以上の基地局間のトラフィックまたはデータのロードバランシング、基地局とユーザデバイスとの間の無線リンクのためのリンク適応、ユーザデバイスによって実行されるセル選択またはセル再選択、スケジューリング、資源配分、送信電力制御、および、タイミングアドバンス調整のうちのの少なくとも１つに関連する情報を含む、請求項１３に記載の装置。
【請求項１６】
前記装置に、１つ以上の関連するセンサおよび無線ネットワーク情報データサンプルを決定させることは、前記装置に、前記無線ネットワーク情報データサンプルの１つ以上の時間ウィンドウ内にある１つ以上のセンサ・データサンプルの時間に基づいて、１つ以上の関連するセンサおよび無線ネットワーク情報データサンプルを決定させることを含む、請求項８のいずれか１項に記載の装置。
【請求項１７】
前記装置に、１つ以上の関連するセンサおよび無線ネットワーク情報データサンプルを決定させることは、前記装置に、第１のセンサが、少なくとも第１の通信要素と、対になっているか、または関連付けられていることを決定させることを含み、
前記時間ウィンドウは、少なくとも前記第１の通信要素に関連付けられた１つ以上の前記無線ネットワーク情報データサンプルの閾値時間ウィンドウ内にある第１のセンサからの１つ以上のセンサ・データサンプルの時間に基づいている、請求項８に記載の装置。
【請求項１８】
前記装置に、前記無線ネットワークの性能に関連する前記１つ以上の関連センサおよび無線ネットワーク情報データサンプルの少なくとも一部を選択させることは、
前記装置に、前記無線ネットワークの性能の変化の前に発生するか、またはサンプリングされる前記１つ以上の関連するセンサおよび無線ネットワーク情報データサンプルのうちの少なくとも一部を選択させることと、
前記無線ネットワークの性能の変化の間に発生するか、またはサンプリングされる前記１つ以上の関連するセンサおよび無線ネットワーク情報データサンプルのうちの少なくとも一部を選択させることと、
前記無線ネットワークの性能の変化の後に発生するか、またはサンプリングされる前記１つ以上の関連するセンサおよび無線ネットワーク情報データサンプルのうちの少なくとも一部を選択させることと、
のうちの少なくとも１つを実行させることを含む、請求項８に記載の装置。
【請求項１９】
前記装置に、前記無線ネットワークの性能に関連する前記１つ以上の関連センサおよび無線ネットワーク情報データサンプルのうちのの少なくとも一部を選択させることは、前記装置に、
前記無線ネットワークの性能の低下の前に発生するか、またはサンプリングされる前記１つ以上の関連するセンサおよび無線ネットワーク情報データサンプルの少なくとも一部を選択することと、
前記無線ネットワークの性能の低下中に発生するか、またはサンプリングされる前記１つ以上の関連センサおよび無線ネットワーク情報データサンプルの少なくとも一部を選択することと、
前記無線ネットワークの性能の低下後に発生するか、またはサンプリングされる前記１つ以上の関連センサおよび無線ネットワーク情報データサンプルの少なくとも一部を選択することと、
のうちの少なくとも１つを実行させることを含む、
請求項８に記載の装置。
【請求項２０】
前記ラベル付けは、前記無線ネットワークの性能における低下に関連する前記選択された関連センサおよび無線ネットワーク情報データサンプルの選択理由を含む、請求項８に記載の装置。
【国際調査報告】
2021530934.tif 000019
2021530934.tif 000020
2021530934.tif 000021